(57)【要約】      （修正有）【課題】収納時に嵩張らず、安定性の高い、取付け容易なポール支持体、及び装着具、看板等の板状被装着物をフェンス等に装着する板状物装着具を提供する。【解決手段】筒体と、枠体と、筒体を倒れた又は立てた状態とに選択的に着脱又は回動可能にする連結部と、固定手段とを含むポール支持体であり、前記筒体に外挿又は内挿するための装着用筒と、当該筒から互いに反対向に延出した架橋部を介し設けられポール挿入筒の一対を備えポール支持体に装着して用いる当該支持体アタッチメントであり、ポールの周面の囲い部と、延出する腕部の一対と、腕部の各先端に設けられ被装着体との係合部とを備え、係合部が互いに弾性的に移動するポール装着具であり、係合手段と、中間部材と、左右にそれぞれ延出する挟持アーム部の一対とを備え、挟持アーム部の先端部に被装着物の縁に係合する縁係合部が設けられた板状物装着具である。【選択図】  図１
2004218264.tif 000002
【特許請求の範囲】
【請求項１】
載置面上に載置して、ポールを下端支持するものであって、
前記ポールを挿入可能な筒体と、
前記載置面に当接することとなる下面部を備える枠体と、
前記枠体と前記筒体とを、前記筒体が軸心方向を前記下面部を含む平面と交差させて立つ一の状態、及び前記筒体が前記枠体の内側又は側部に位置して倒れた他の状態に、選択的に連結可能な連結部と、
前記一の状態で連結された前記筒体の位置を、前記枠体に対して一時的に固定する一時固定手段と
を含んで成るポール支持体。
【請求項２】
前記連結部が前記枠体に着脱可能に装着された着脱可能取付け支持アームを含んで成り、前記着脱可能取付け支持アームに、前記筒体が結合された請求項１に記載のポール支持体。
【請求項３】
前記連結部が前記枠体と前記筒体とを着脱可能に連結する着脱自在連結部であり、前記筒体を、該着脱自在連結部からはずして、前記他の状態に位置させることが可能な請求項２に記載のポール支持体。
【請求項４】
前記連結部が、前記枠体と前記筒体とを、該筒体を該筒体の軸心と交差する軸のまわりに回動可能に連結する回動可能連結部であり、前記一時固定手段が、前記筒体を前記枠体に前記回動可能連結部を介して一時的に固定する回動一時固定手段である請求項１に記載のポール支持体。
【請求項５】
載置面上に載置して、ポールを下端支持するものであって、
前記載置面に当接することとなる下面部を備える枠体と、
該枠体の中央部に、軸心を前記下面部を含む平面と交差させて、結合部材を介して該枠体に固定された固定環体と、
両端にそれぞれ軸着部を備える伸縮可能な一対の棒状部材と、
前記一対の棒状部材の間に介在する環体と
から成り、
該環体の一の周面部と一の前記棒状部材の一の端が軸着され、該環体の他の周面部と他の前記棒状部材の一の端が軸着され、
前記一の棒状部材の他の端が前記枠体の一の位置に軸着され
前記他の棒状部材の他の端が前記枠体の、前記一の位置と前記枠体の中央部を間にして対向する位置に軸着され
該環体が前記棒状部材の伸縮にともなって上下動自在とされ、
前記固定環体と前記環体とで、前記下面部を含む平面と交差する方向を軸とする共通の貫通孔が形成され、該共通の貫通孔に前記ポールを挿入可能としたポール支持体。
【請求項６】
前記枠体に、網状物から成る、前記枠体の枠ふちを側壁とする底部が設けられた請求項１乃至５のいずれかに記載のポール支持体。
【請求項７】
載置面上に載置して、ポールを下端支持するものであって、
前記ポールを挿入可能な筒体と、
前記載置面に当接することとなる下面部を備える枠体と、
前記枠体の枠ふちから延出され延出端部で前記筒体を固定する支持体とを含んで成り、
前記筒体が、該筒体の軸心方向を前記下面部を含む平面と直交して配され、かつ前記筒体の下端が、前記下面部を含む平面を含み前記枠体の枠ふちに囲まれた面上又は該面の上方に位置し、
前記支持体の前記筒体に接続される部位から前記枠ふちに接続される部位にかけた、前記下面部を含む平面への該平面と直角の方向からの投影像が、細長であるポール支持体。
【請求項８】
中間部を境に下端部が地中に埋められ上端部が地面から上方に突出することとなる、ポールを挿入可能な筒体と、
該筒体を着脱可能に保持する保持部と、
該保持部から該筒体の長手方向と直交する方向に放射状に延出される延出部と、該延出部から地中に垂下することとなる垂下部を含んで成るポール支持体。
【請求項９】
請求項１乃至８のいずれかに記載のポール支持体に装着して用いることが可能であり、
前記筒体に外挿又は内挿するための、又は前記共通の貫通孔に内挿するための装着用筒と、該装着用筒から該装着用筒の軸心と直交して互いに反対方向に延出された架橋部と、該架橋部の各先端部に、軸心を該装着用筒の軸心と平行にして設けられポール又は被装着物の脚を挿入することとなる挿入筒の一対を備えるポール支持体アタッチメント。
【請求項１０】
前記挿入筒の一対が、互いに近づく方向に移動させられることが可能であり、互いに近づく方向に移動させられたときに、互いに離れる方向に付勢されるか、
又は、前記挿入筒の一対が、互いに離れる方向に移動させられることが可能であり、互いに離れる方向に移動させられたときに、互いに近づく方向に付勢される請求項９に記載のポール支持体アタッチメント。
【請求項１１】
前記筒体に前記装着用筒が外挿又は内挿されたとき、前記筒体の軸心を軸として回動可能である請求項９又は１０に記載のポール支持体アタッチメント。
【請求項１２】
被装着体とポールとの間に介在して該ポールを該被装着体に装着するものであって、装着される前記ポールの周面の少なくとも一部を囲う囲い面を有する囲い部と、該囲い部から左右にそれぞれ延出する腕部の一対と、該腕部の各先端に設けられ、前記被装着体と係合する係合部とを備え、前記囲い部を支点に前記係合部同士を互いに近づける方向に移動させたとき、前記係合部が互いに離れる方向に付勢されるか、又は、前記囲い部を支点に前記係合部同士を互いに離れる方向に移動させたとき、前記係合部が互いに近づく方向に付勢されるポール装着具。
【請求項１３】
前記囲い部がコイル体から成り、前記係合部が帯状弾性部材から成るフック部である請求項１２に記載のポール装着具。
【請求項１４】
被装着体とポールとの間に介在して該ポールを該被装着体に装着するものであって、装着される前記ポールの周面の少なくとも一部を囲う囲い面を有する囲い部と、該囲い部から左右にそれぞれ延出し前記被装着体を抱える抱え腕部の一対とを備え、前記抱え腕部同士を互いに離れる方向に移動させたとき、前記抱え腕部同士が互いに近づく方向に付勢されるポール装着具。
【請求項１５】
被装着体と板状の被装着体との間に介在して該被装着物を該被装着体に装着するものであって、前記被装着体に係合する係合手段と、中間部材と、該中間部材から左右にそれぞれ延出する挟持アーム部の一対とを備え、
前記挟持アーム部の先端部に前記被装着物の縁に係合する縁係合部が設けられ、前記縁係合部同士を互いに離れる方向に移動させたとき前記縁係合部が互いに近づく方向に付勢される板状物装着具。
【請求項１６】
前記係合手段が請求項１２乃至１４に記載のポール装着具を含んで成る請求項１５に記載の板状物装着具。
【請求項１７】
請求項９乃至１１のいずれかに記載のポール支持体アタッチメントと、前記挿入筒又は前記装着用筒を被装着体に取付ける取付け具とを含んで成るポール支持体構造。
【発明の詳細な説明】
【０００１】
【発明の属する技術分野】
本発明は旗棹や看板の脚を差し込んで立たせるポール支持体、及びフェンス等の被装着体に旗棹や看板の脚を装着するためのポール装着具に関する。更には、看板等の板状被装着物を挟持してフェンス等の被装着体に装着するための板状物装着具に関する。
【０００２】
【従来の技術】
【０００３】
旗棹や看板の脚を差し込んで立たせるポール支持体としては、イ．鉄板の中心部にパイプを立設固定したもの、ロ．樹脂製等の容器の上面中心部にポールを挿入する孔を設け、重くするため容器に水を入れて用いるもの（例えば、特許文献１参照。）、ハ．コンクリート製の基台の中心にポールを挿入する孔を設けたもの（例えば、特許文献２参照。）、ニ．土中に打ち込んでポールを挿入するものとして用いられる筒、等が挙げられる。又、フェンス等の被装着物に旗棹や看板の脚を装着する手段としては、ホ．紐、針金等でポールを被装着物に括りつけたり、ヘ．Ｕ字金具を用いて壁面にネジ止めする（例えば、特許文献３参照。）ことが一般的である。
【０００４】
しかし、このような従来のポールを立てる支持具や手段はいづれも使用上の問題がある。イ．は、収納に嵩張り、かつ使用時の安定性に欠ける。ロ．は、容器の嵩が大きく、特に容器の高さが１５ｃｍ程度となる。又、耐久性に劣る。更に、容器に入れた水が、腐敗して異臭のもとになったり、蚊の発生源になりやすい。ハ．は、トップヘビーで倒れやすく、底辺部を広げると、重すぎて運搬しにくい。ニ．は、土の面にしか使用できず、又、鉛直に立ちにくい。ホ．は、取付け操作に手間がかかり、かつ締め付けが緩みやすい。ヘ．は取付け操作に手間がかかり、かつ壁面にネジ孔のキズがつく。
【０００５】
又、看板等の板状被装着物は被装着体に装着する簡便な手段がなかった。
【０００６】
【特許文献１】
特開平８−１２３３４７号公報（特許請求の範囲）
【特許文献２】
特開２０００−１４５２０４号公報（特許請求の範囲）
【特許文献３】
特開平１０−１７９９８９号公報（第１図）
【０００７】
【発明が解決しようとする課題】
本発明は、これら従来のポールを立てる支持具や手段の問題点に鑑み、収納時に嵩張らず、安定性の高い、取付け操作の容易なポール支持体及びポール装着具を提供しようとする。又、看板等の板状被装着物を挟持してフェンス等の被装着体に装着するための簡便な板状物装着具を提供しようとする。
【０００８】
【課題を解決するための手段】
本発明の要旨とするところは、
載置面上に載置して、ポールを下端支持するものであって、
前記ポールを挿入可能な筒体と、
前記載置面に当接することとなる下面部を備える枠体と、
前記枠体と前記筒体とを、前記筒体が軸心方向を前記下面部を含む平面と交差させて立つ一の状態、及び前記筒体が前記枠体の内側又は側部に位置して倒れた他の状態に、選択的に連結可能な連結部と、
前記一の状態で連結された前記筒体の位置を、前記枠体に対して一時的に固定する一時固定手段と
を含んで成るポール支持体であることにある。
【０００９】
前記連結部は、前記枠体に着脱可能に装着された着脱可能取付け支持アームを含んで成り得、前記着脱可能取付け支持アームに、前記筒体が結合され得る。
【００１０】
前記着脱可能取付け支持アームは棒状部を含み得、該棒状部の少なくとも一端部で前記枠体に着脱可能に装着され得る。
【００１１】
前記枠体の内側の一対の位置のそれぞれには、ケース部が設けられ得、前記一の装着状態及び前記他の装着状態から選択された状態で、前記ケース部に前記着脱可能取付け支持アームが架け渡されて嵌め込み可能とされ得る。
【００１２】
前記連結部は、前記下面部を含む平面に平行に前記枠体の枠ふちから内側に延出された延出取付け支持アームを含み得、該延出取付け支持アームの延出端部に前記筒体が連結され得る。
【００１３】
前記連結部は、前記枠体と前記筒体とを着脱可能に連結する着脱自在連結部であり得、前記筒体を、該着脱自在連結部からはずして、前記他の状態に位置させ得る。
【００１４】
前記着脱自在連結部は、前記筒体の外周面から延出する取付け用支持アームを有し得る。
【００１５】
前記連結部は、前記枠体と前記筒体とを、該筒体を該筒体の軸心と交差する軸のまわりに回動可能に連結する回動可能連結部であり得、前記一時固定手段は、前記筒体を前記枠体に前記回動可能連結部を介して一時的に固定する回動一時固定手段であり得る。
【００１６】
前記回動可能連結部は、前記枠体の枠ふちから内側に延出されて該枠ふちに自身の長手方向を軸に回動可能に連結され先端部で前記筒体と結合された回動支持アームを含んで成り得る。
【００１７】
前記回動可能連結部は、前記枠ふちから内側に延出された回動支持延出アームを含んで成り得、前記筒体は、前記回動支持延出アームの先端部に該回動支持延出アームの長手方向を軸に回動可能に連結され得る。
【００１８】
更に又、本発明の要旨とするところは、
載置面上に載置して、ポールを下端支持するものであって、
前記載置面に当接することとなる下面部を備える枠体と、
該枠体の中央部に、軸心を前記下面部を含む平面と交差させて、結合部材を介して該枠体に固定された固定環体と、
両端にそれぞれ軸着部を備える伸縮可能な一対の棒状部材と、
前記一対の棒状部材の間に介在する環体と
から成り、
該環体の一の周面部と一の前記棒状部材の一の端が軸着され、該環体の他の周面部と他の前記棒状部材の一の端が軸着され、
前記一の棒状部材の他の端が前記枠体の一の位置に軸着され
前記他の棒状部材の他の端が前記枠体の、前記一の位置と前記枠体の中央部を間にして対向する位置に軸着され
該環体が前記棒状部材の伸縮にともなって上下動自在とされ、
前記固定環体と前記環体とで、前記下面部を含む平面と交差する方向を軸とする共通の貫通孔が形成され、該共通の貫通孔に前記ポールを挿入可能としたポール支持体であることにある。
【００１９】
前記ポール支持体においては、前記枠体に、網状物から成る、該枠体の枠ふちを側壁とする底部が設けられ得る。
【００２０】
又更に、本発明の要旨とするところは、
載置面上に載置して、ポールを下端支持するものであって、
前記ポールを挿入可能な筒体と、
前記載置面に当接することとなる下面部を備える枠体と、
前記枠体の枠ふちから延出され延出端部で前記筒体を固定する支持体とを含んで成り、
前記筒体が、該筒体の軸心方向を前記下面部を含む平面と直交して配され、かつ前記筒体の下端が、前記下面部を含む平面を含み前記枠体の枠ふちに囲まれた面上又は該面の上方に位置し、
前記支持体の前記筒体に接続される部位から前記枠ふちに接続される部位にかけた、前記下面部を含む平面への該平面と直角の方向からの投影像が、細長であるポール支持体であることにある。
【００２１】
又、本発明の要旨とするところは、中間部を境に下端部が地中に埋められ上端部が地面から上方に突出することとなる、ポールを挿入可能な筒体と、
該筒体を着脱可能に保持する保持部と、
該保持部から該筒体の長手方向と直交する方向に放射状に延出される延出部と、該延出部から地中に垂下することとなる垂下部を含んで成るポール支持体であることにある。
【００２２】
前記ポール支持体は、一対の山形鋼部材を十字状に交差させて構成され得、該山形鋼部材の片辺部が前記延出部を構成し得、他の片辺部が前記垂下部を構成し得、該山形鋼部材が交差する位置に前記筒体を挿入する挿通用孔が形成され得、一の前記山形鋼部材の前記垂下部の縁から上方に切込み溝が形成され得、他の前記山形鋼部材の、前記延出部の縁から前記垂下部にかけて前記他の山形鋼部材の長手方向と直交する方向に切込み溝が形成され得、互いに自身に形成された該切込み溝を相手に嵌合して前記山形鋼部材同士が交差され得る。
【００２３】
更に、本発明の要旨とするところは、
前記ポール支持体に装着して用いることが可能であり、
前記筒体に外挿又は内挿するための、又は前記共通の貫通孔に内挿するための装着用筒と、該装着用筒から該装着用筒の軸心と直交して互いに反対方向に延出された架橋部と、該架橋部の各先端部に、軸心を該装着用筒の軸心と平行にして設けられポール又は被装着物の脚を挿入することとなる挿入筒の一対を備えるポール支持体アタッチメント。
【００２４】
前記ポール支持体アタッチメントにおいては、前記架橋部が伸縮可能であり得る。
【００２５】
前記ポール支持体アタッチメントにおいては、前記挿入筒の一対が、互いに近づく方向に移動させられることが可能であり、互いに近づく方向に移動させられたときに、互いに離れる方向に付勢されるか、
又は、前記挿入筒の一対が、互いに離れる方向に移動させられることが可能であり、互いに離れる方向に移動させられたときに、互いに近づく方向に付勢され得る。
【００２６】
前記ポール支持体アタッチメントにおいては、前記筒体に前記装着用筒が外挿又は内挿されたとき、前記筒体の軸心を軸として回動可能であり得る。
【００２７】
前記ポール支持体アタッチメントにおいては、前記装着用筒及び／又は前記挿入筒がコイルバネを含んで構成され得る。
【００２８】
前記ポール支持体アタッチメントにおいては、前記装着用筒及び／又は前記挿入筒が輪切り断面Ｃの字形の弾性板を含んで構成され得る。
【００２９】
又、本発明の要旨とするところは、被装着体とポールとの間に介在して該ポールを該被装着体に装着するものであって、装着される前記ポールの周面の少なくとも一部を囲う囲い面を有する囲い部と、該囲い部から左右にそれぞれ延出する腕部の一対と、該腕部の各先端に設けられ、前記被装着体と係合する係合部とを備え、前記囲い部を支点に前記係合部同士を互いに近づける方向に移動させたとき、前記係合部が互いに離れる方向に付勢されるか、又は、前記囲い部を支点に前記係合部同士を互いに離れる方向に移動させたとき、前記係合部が互いに近づく方向に付勢されるポール装着具であることにある。
【００３０】
前記ポール装着具は帯状弾性部材から成り得、長手方向中央部に弧状に前記囲い部が形成され得、前記係合部が前記帯状弾性部材の両端部に形成されたフック部であり得る。
【００３１】
前記ポール装着具は線状弾性部材から成り得、長手方向中央部にコイル状に前記囲い部が形成され得、前記係合部が前記帯状弾性部材の両端部に形成されたフック部であり得る。
【００３２】
前記ポール装着具においては、前記囲い部がコイル体から成り得、前記係合部が帯状弾性部材から成るフック部であり得る。
【００３３】
更に、本発明の要旨とするところは、被装着体とポールとの間に介在して該ポールを該被装着体に装着するものであって、装着される前記ポールの周面の少なくとも一部を囲う囲い面を有する囲い部と、該囲い部から左右にそれぞれ延出し前記被装着体を抱える抱え腕部の一対とを備え、前記抱え腕部同士を互いに離れる方向に移動させたとき、前記抱え腕部同士が互いに近づく方向に付勢されるポール装着具であることにある。
【００３４】
又更に、本発明の要旨とするところは、被装着体と板状の被装着体との間に介在して該被装着物を該被装着体に装着するものであって、前記被装着体に係合する係合手段と、中間部材と、該中間部材から左右にそれぞれ延出する挟持アーム部の一対とを備え、
前記挟持アーム部の先端部に前記被装着物の縁に係合する縁係合部が設けられ、前記縁係合部同士を互いに離れる方向に移動させたとき前記縁係合部が互いに近づく方向に付勢される板状物装着具であることにある。
【００３５】
前記板状物装着具においては、前記係合手段が前記ポール装着具を含んで成り得る。
【００３６】
前記板状物装着具においては、前記中間部材がコイルバネ体から成り得、前記挟持アーム部が該コイルバネ体のコイルの両端部それぞれから延出される線状部材から成り得、前記縁係合部が該線状部材の先端部をフック状に曲げて形成され得る。
【００３７】
又、本発明の要旨とするところは、前記ポール支持体アタッチメントと、前記挿入筒又は前記装着用筒を被装着体に取付ける取付け具とを含んで成るポール支持体構造であることにある。
【００３８】
【発明の実施の形態】
本発明に係る態様を図面に基づいて詳しく説明する。なお、本明細書においては、各図にわたって記される同じ符号は同一又は同様の部材やものを示す。図１（ａ）は本発明のポール支持体２の正面図であり、ポール支持体２は、載置面４上に載置して、立てたポール６を支持するものである。ポール支持体２は、ポール６が挿入される円筒８ａと、枠体１０と、着脱可能取付け支持アーム１２から構成されている。着脱可能取付け支持アーム１２の形状はコの字形であり、上方の端部に円筒８ａが、円筒８ａの軸心を載置面４と直交させて結合（固定）されている。即ち、着脱可能取付け支持アーム１２が、円筒８ａの外周面から延出する延出部６３０を有する。
【００３９】
着脱可能取付け支持アーム１２の下方の端部に円筒状物１４が、円筒状物１４の軸心を載置面４と直交させかつ円筒８ａの軸心と一致させて固定されている。着脱可能取付け支持アーム１２は、枠体１０を構成し載置面４との接触面（下面部）５の方向に一巡する枠ふち１６に孔２５に挿通するネジ１８によりめすネジ２３を介して取付けられて固定されている。孔２５、ネジ１８、めすネジ２３が円筒８ａ（筒体）の位置を、枠ふち１６に対して一時的に固定する一時固定手段６２０となっている。なお、枠ふち１６は、載置面４との接触面（下面部）５の方向に一巡して枠体１０を構成しているが、他の態様においては、上面視コの字形やＣの字形のようにこの一巡する途中で切れている形状であってもよい。この一巡する途中で切れている形状は以下に説明される本発明の態様における枠体のほぼすべてについても適用される。
【００４０】
図１（ｂ）の平面図に示すように、円筒８ａ及び円筒状物１４は枠体１０の平面視の中央に位置している。着脱可能取付け支持アーム１２、ネジ１８、めすネジ２３が円筒８ａを枠ふち１６に着脱可能に連結する連結部６０１を構成している。
【００４１】
ポール支持体２の不使用時には、着脱可能取付け支持アーム１２を、ネジ１８をゆるめて枠体１０からはずして、倒して枠体１０の内部空間２０（枠体１０の内側）に収めることが出来る。枠体１０の内側は、枠ふち１６に囲まれ、接触面（下面部）５を含む平面と、枠体１０の上面を含む平面との間の空間である。この収めた状態を図１（ｃ）の平面図に示す。着脱可能取付け支持アーム１２は枠体１０に収められた状態で、ネジ１８によりめすネジ２１を介して枠ふち１６に固定される。めすネジ２１は着脱可能取付け支持アーム１２の長手方向略中央に孔２５に対応する位置に設けられている。着脱可能取付け支持アーム１２に固定されている円筒８ａ及び円筒状物１４も、軸心を接触面５と平行にして枠体１０に収められている。このように、ポール支持体２は不使用時に構造をコンパクトに再構成することが出来るので、収納や運搬にスペースを取らない。なおポール支持体２においては、円筒８ａが円筒状物１４の方向に延長されて円筒状物１４と一体になっていてもよい。あるいは、円筒８ａが円筒状物１４の方向に延長された長尺のものであり、円筒状物１４及び円筒状物１４に連なる着脱可能取付け支持アーム１２の下方の端部が省略された構成であってもよい。
【００４２】
本発明の他の態様においては、円筒８ａ、円筒状物１４を備える着脱可能取付け支持アーム１２が枠体１０の外側に位置して枠体１０に固定されていてもよい。この態様を図１（ｄ）の正面図、図１（ｅ）の平面図に示す。図１（ｄ）はポールを立てて使用する状態、図１（ｅ）は、着脱可能取付け支持アーム１２ｘを倒して枠体１０の側部に収めた状態である。枠体１０の側部は、枠体１０の外側の、接触面（下面部）５を含む平面と、枠体１０の上面を含む平面との間の空間である
【００４３】
本発明の他の態様を図２に示す。図２のポール支持体２ａは、着脱可能取付け支持アーム１２ａの中間部２８の長さが図１に示す態様と比べて短くなっている。図２（ａ）はポール６が装着された状態の正面図を、図２（ｂ）は不使用時に着脱可能取付け支持アーム１２ａ、円筒８ａ及び円筒状物１４が枠体１０に収められた状態の平面図を示す。着脱可能取付け支持アーム１２ａ、ネジ１８、めすネジ２３が円筒８ａを枠ふち１６に着脱可能に連結する連結部６０１ａを構成している。
【００４４】
本発明においては、連結部が、枠ふちの一巡方向を含む面に平行に枠ふち１６から内側に延出された延出取付け支持アーム（不図示）を備え、その延出取付け支持アームの延出端部に円筒８ａのような筒体がネジ機構等により着脱可能に連結された態様であってもよい。
【００４５】
本発明の更に他の態様を図３に示す。図３のポール支持体２ｂは、ポール６が挿入される円筒８と、枠体１０と、棒状部６４０から成る着脱可能取付け支持アーム１２ｂから構成されている。円筒８は着脱可能取付け支持アーム１２ｂに溶接等により固定されて着脱可能取付け支持アーム１２ｂの長手方向中央部から上方に延出されている。枠体１０の対向する隅の内側のそれぞれに、断面コの字形のケース部３０が固定されている。ケース部３０は上方と下方、及び枠体１０の中心に向けて開口している。着脱可能取付け支持アーム１２ｂは枠体１０の対向する隅の間にさしわたされて、着脱可能取付け支持アーム１２ｂの各端部がそれぞれケース部３０嵌めこまれている。図４はポール支持体２ｂの円筒８が倒されて枠体１０の内部に収められた状態を示す。このとき、着脱可能取付け支持アーム１２ｂは図３の状態から９０度回転してケース部３０に収められる。これにより、円筒８、着脱可能取付け支持アーム１２ｂとも枠体１０の内部に収められ、ポール支持体２ｃは不使用時に構造をコンパクトに再構成することが出来るので、収納や運搬にスペースを取らない。着脱可能取付け支持アーム１２ｂ、ケース部３０が円筒８を枠ふち１６に着脱可能に連結する連結部６０１ｃを構成している。
【００４６】
図５は円筒８が着脱可能取付け支持アーム１２ｂに固定された状態を示す、着脱可能取付け支持アーム１２ｂの長手方向にみた側面図である。着脱可能取付け支持アーム１２ｂは四角中空の柱状部材から成り、長手方向中央部で壁を円筒８が貫通している。
【００４７】
図６に、着脱可能取付け支持アーム１２ｂを嵌め込むケース部の他の態様を示す。図６において、ケース部３０ｄは上方及び枠体１０の中心に向けて開口している。この態様は、着脱可能取付け支持アーム１２ｂを枠体１０から取り出しやすい。
【００４８】
図７に、着脱可能取付け支持アーム１２ｂを嵌め込むケース部の更に他の態様を示す。図７において、ケース部３０ｅは下方及び枠体１０の中心に向けて開口している。この態様は、着脱可能取付け支持アーム１２ｂがケース部３０ｅに嵌めこまれているときにケース部３０ｅにより上から押えられることになり、かつ枠体１０の重量もケース部３０ｅを介して着脱可能取付け支持アーム１２ｂにかかることになるので、円筒８及び円筒８に挿入されて立つポールが倒れにくい。
【００４９】
図８に又更に他の態様のケース部３０ｆを備えるポール支持体２ｆを示す。ケース部３０ｆは、山形鋼を輪切りにした形状の１組の部材３７から構成される。１組の山形鋼から成る部材のそれぞれの一の辺がケース部３０ｆの内壁を形成する。ケース部３０ｆの下部には、１組の山形鋼から成る部材３７に差し渡された受け部材３１が設けられて、着脱可能取付け支持アーム１２ｂを下から支えている。受け部材３１は１組の山形鋼から成る部材３７のうちの一方の山形鋼から成る部材３７に固定されたものであってもよい。受け部材３１はケース部３０ｆの上部に設けられてもよい。
【００５０】
図９に図６とは異なる態様でケース部３０ｄを備えるポール支持体２ｇを示す。図９においては、一組のケース部３０ｄが枠体１０ｇの一辺に沿って設けられている。又、他の一組のケース部３０ｄが、枠体１０ｇの他の一辺の中央と、その辺に対向する辺の中央とに対向する配置で設けられている。一辺に沿った一組のケース部３０ｄは、円筒８が倒されて円筒８及び着脱可能取付け支持アーム１２ｂが枠体１０ｇの内側に収められる状態（図９（ａ））のときに、着脱可能取付け支持アーム１２ｂの各先端部を嵌め込んで収める。一辺の中央と、その辺に対向する辺の中央とに対向する配置で設けられている一組のケース部３０ｄは、円筒８が立てられてポールを立てる状態（図９（ｂ））のときに、着脱可能取付け支持アーム１２ｂの各先端部を嵌め込んで収める。図９（ｃ）は、図９（ａ）の正面図、図９（ｄ）は、図９（ｂ）の正面図である。この態様は、円筒８を長くすることが出来る。
【００５１】
図９とは別の態様でケース部３００ｂを備えるポール支持体を説明する。この態様においては、ポール支持体が、図１０（ａ）の平面図で示す枠体１０と、図１１又は図１２に示す係合部材８２ｂ（又は８３ｂ）を備える円筒８０ｂとで構成される。図１０において、枠体１０は、枠ふち１６の内側に受け部材３００ｂ及び筒受け部材３０２ｂが取付けられている。受け部材３００ｂ及び筒受け部材３０２ｂは、両者の間に係合部材８２ｂ（又は８３ｂ）を備える円筒８０ｂを架け渡すことが可能な間隔を持って取付けられている。
【００５２】
図１０（ａ）のＡ−Ａ´方向の断面図である図１０（ｂ）に示すように、受け部材３００ｂは、溝形鋼を輪切りにした形状を有し、一の輪切り断面に相当する面が枠ふち１６の内側面と接合し、上方に開口している。叉、底部に孔３０４ｂが形成されている。図１０（ａ）のＢ−Ｂ´方向の断面図である図１０（ｃ）に示すように、筒受け部材３０２ｂは、山形鋼を輪切りにした形状を有し、一の輪切り断面に相当する面が枠ふち１６の内側面と接合し、上方に開口している。
【００５３】
図１３は、図１０で示す枠体１０の内側に、係合部材８２ｂを備える円筒８０ｂが、倒されて収められた状態を示す、本発明のポール支持体２００ｂの要部斜視模式図である。筒受け部材３０２ｂが倒された状態の円筒８０ｂの一端部を受け、受け部材３００ｂが円筒８０ｂの他端部に取付けられた係合部材８２ｂをはめ込ませて受ける。
【００５４】
図１４は、図１０で示す枠体１０の内側に、係合部材８２ｂを備える円筒８０ｂが、立てられた状態を示す、本発明のポール支持体２００ｂの要部斜視模式図である。枠体１０が、図１３に示す状態とは裏返しの状態にされ、円筒８０ｂが受け部材３００ｂに形成された孔３０４ｂに挿通され、かつ受け部材３００ｂが係合部材８２ｂをはめ込ませて受ける。係合部材８２ｂ（又は８３ｂ）と受け部材３００ｂが円筒８０ｂを枠ふち１６に着脱可能に連結する着脱自在連結部６２１ｓを構成している。
【００５５】
図１５の平面図に、図６とは更に異なる態様でケース部３０ｈを備えるポール支持体２ｈを示す。ポール支持体２ｈは溝形鋼が輪切りにされた形状のケース部３０ｈの一組と、ケース部３０ｈを載置し固定する基台３２を備える。一組のケース部３０ｈは内側に開口部を対向させて基台３２上に固定されている。基台３２は外形が枠体１０の内壁の平面視形状と相似であり、枠体１０の内側（内部の空間）に緩く嵌め込むことのできる形状をなしている。着脱可能取付け支持アーム１２ｂを図１６のようにケース部３０ｈに嵌めこんで基台３２上にセットして、図１５のように枠体１０の内側の嵌めこんで円筒８を立てて円筒８にポール６を挿入することが出来る。
【００５６】
図１７に図１５とは異なる態様のケース部３０ｉを示す。ケース部３０ｉは山形鋼から成る部材３７が輪切りにされた形状の部材が対向するケース部３０ｉの一組と、ケース部３０ｉを載置し固定する基台３２を備える。一組のケース部３０ｉが内側に開口部を対向させて基台３２上に固定されている。基台３２は外形が枠体１０の内壁の平面視形状と相似であり、枠体１０の内側（内部の空間）に緩く嵌め込むことのできる形状をなしている。着脱可能取付け支持アーム１２ｂをケース部３０ｉに嵌めこんで基台３２上にセットして、図１５と同様の状態で枠体１０の内側の嵌めこんで円筒８を立てて円筒８にポール６を挿入することが出来る。
【００５７】
なお、図１〜図１５において示される枠体１０や枠体１０ｇは、重量やかさを増加するために図１８に示すように外枠１１と内枠１３の２重の枠から構成されていてもよい。外枠１１と内枠１３とは結合用部材１５を介して結合される。
【００５８】
本発明の更に他の態様においては、図１９に示すように、枠体１０ｋの高さ（載置面からの高さを）ケース部３０ｄの高さよりかなり大きくする。かつ、枠体１０の、載置面と接する面と平行な底に網状部材から成る底部４４を設ける。このような態様のポール支持体２ｋは、ポールを立てた状態で底部４４と枠体１０ｋとで構成される容器のなかにぐり石等のおもりを充填してポールを立てた状態を安定化させることが出来る。この態様は、ポール支持体２ｋを比較的軽量にして運搬を容易にし、設置現場でぐり石等のおもりを充填してポールを立てることが出来るので、軽量かつ立てられたポールが風等に対して安定なポール支持体を提供できる。
【００５９】
図２０は、着脱可能取付け支持アーム１２ｍが枠体１０ｋに固定されたポール支持体２ｍにおいて、枠体１０ｋの底に網状部材から成る底部４４が設けられ、ポール６を立てた状態で底部４４と枠体１０ｋとで構成される容器のなかにぐり石４６を入れた状態を示す。図２０（ａ）は正面図、図２０（ｂ）は平面図である。この態様も、ポール支持体２ｍを比較的軽量にして運搬を容易にし、設置現場でぐり石等のおもりを充填してポールを立てることが出来るので、軽量かつ立てられたポールが風等に対して安定なポール支持体を提供できる。
【００６０】
本発明においては、着脱可能取付け支持アーム１２ｂに複数の円筒が固定されていてもよい。例えば、図２１に示すように、着脱可能取付け支持アーム１２ｂに３本の円筒８ｂ、８ｃ、８ｃが固定されていてもよい。このような態様のポール支持体２ｊは、一個で複数のポールを支持して立てることが出来る。なお、図２１は円筒８ｂ、８ｃ、８ｃが倒されて枠体１０の内側に収納された状態の平面図であり、この状態から着脱可能取付け支持アーム１２ｂを９０度回転させた状態でケース部３０ｆに嵌めこんで、円筒８ｂ、８ｃ、８ｃそれぞれにポールを挿入して立てることが出来る。
【００６１】
図２２の平面図に枠体の機能を有する穴明きブロックを示す。四角板状のコンクリート製の穴明きブロック（枠体）１０ａは、上面中央部にＴ字形に角溝３４が形成されている。角溝３４は、着脱可能取付け支持アーム１２ｂ（不図示）を収納する直状の支持アーム収納溝３６と円筒８ｂ（不図示）を収納する直状の円筒収納溝３８とから構成されている。支持アーム収納溝３６の長手方向中央部から支持アーム収納溝３６の長手方向と直交して円筒収納溝３８が延出している。円筒８ｂ付きの着脱可能取付け支持アーム１２ｂが、円筒８ｂを倒した状態で角溝３４に収められる。支持アーム収納溝３６と円筒収納溝３８が交わる位置に穴明きブロック（枠体）１０ａを上下に貫通する貫通孔４０が形成されている。図２３に図２２のＡ−Ａ´方向の断面図を示す。以下、本明細書においては、上述のような機能を有する穴明きブロックも、枠体とも称し、その穴明きブロックにおける孔の内周面と、穴明きブロックの側面部を一巡する外周面との間に位置する物体を枠ふちとも称する。
【００６２】
なお、本明細書においては、円筒を倒すとは、円筒の軸心方向を、枠ふちの一巡方向と略平行にして枠体の内側空間に収めることを意味する。又、円筒を立てるとは、円筒の軸心方向を、枠ふちの一巡方向と略直角又は斜めにして、円筒の軸心方向を枠体の内側空間から突出させることを意味する。
【００６３】
図２４（ａ）は、穴明きブロック（枠体）１０ａが用いられ、円筒８ｂを立てた状態で円筒８ｂ付きの着脱可能取付け支持アーム１２ｂが角溝３４に嵌めこまれ、ポール６が円筒８ｂに挿入されて立てられた状態を示す断面図である。貫通孔４０にはポール６の下端が挿入される。
【００６４】
図２４（ｂ）は、穴明きブロック（枠体）１０ａが裏返して用いられ、円筒８ｂを立てた状態で円筒８ｂ付きの着脱可能取付け支持アーム１２ｂが角溝３４に嵌めこまれ、ポール６が円筒８ｂに挿入されて立てられた状態を示す断面図である。貫通孔４０には円筒８ｂが挿入される。この態様は、着脱可能取付け支持アーム１２ｂが穴明きブロック（枠体）１０ａの底部４０により上から押えられることになり、かつ穴明きブロック（枠体）１０ａの重量も底部４０を介して着脱可能取付け支持アーム１２ｂにかかることになるので、円筒８ｂ及び円筒８ｂに挿入されて立つポール６が倒れにくい。着脱可能取付け支持アーム１２ｂと角溝３４が円筒８ｂを枠ふち１６に着脱可能に連結する連結部６１１を構成している。
【００６５】
図２５（ａ）の平面図と図２５（ｂ）の正面図に、四角板状のコンクリート製の穴明きブロック（枠体）１０ｓを備える、ポール支持体の他の態様の一例を示す。穴明きブロック（枠体）１０ｓは、上面中央部に直線状の角溝３４ｓが形成されている。角溝３４ｓの底部には、複数の貫通孔３６ｓが角溝３４ｓの長手方向に沿って所定の間隔で形成されている。図２６に示すように、角溝３４ｓは、下端部に係合部材８２ｂを備える円筒８０ｂ（図１１又は図１２）を倒された状態で収納する。又、穴明きブロック（枠体）１０ｓを図２６の状態から裏返して、図２７の断面図に示すように、本発明のポール支持体２００ｓにおいては、選択された貫通孔３６ｓに、円筒８０ｂを挿通させて係合部材８２ｂが角溝３４ｓに嵌めこまれた状態にすることにより、円筒８０ｂが立てられた状態となる。係合部材８２ｂ（又は８３ｂ）と角溝３４ｓが円筒８０ｂを枠ふち１６に着脱可能に連結する着脱自在連結部６２１を構成している。
【００６６】
又、他の態様として、円筒８０ｂが取付け用支持アーム（不図示）を介して係合部材８２ｂ（又は８３ｂ）に結合されてもよい。この場合は、係合部材８２ｂ（又は８３ｂ）と角溝３４ｓと取付け用支持アーム（不図示）が円筒８０ｂを枠ふち１６に着脱可能に連結する着脱自在連結部を構成する。
【００６７】
図２８（ａ）の平面図と図２８（ｂ）の正面図に、コンクリート製の穴明きブロック（枠体）１０ｎを備える、他の態様のポール支持体２ｎを示す。穴明きブロック（枠体）１０ｎは中央部に平面視Ｔ字形に中空孔部４８が形成されている。中空孔部４８は、支持アーム部１２ｎを収納する平面視直状の支持アーム収納中空孔部５０と筒部８ｎを収納する平面視直状の筒部収納中空孔部５２とから構成されている。支持アーム収納中空孔部５０の長手方向中央部から支持アーム収納中空孔部５０の長手方向と直交して筒部収納中空孔部５２が延出している。筒部８ｎ付きの支持アーム部１２ｎが、筒部８ｎを倒した状態で中空孔部４８に収められている。支持アーム部１２ｎの長手方向中央部から支持アーム部１２ｎの長手方向と直交して筒部８ｎが延出して両者は一体に成形されて筒ブロック体５４を構成している。穴明きブロック（枠体）１０ｎの外周壁面には、取っ手用に凹陥部５８が設けられている。筒ブロック体５４には筒部８ｎの中空部と連なって支持アーム部１２ｎを筒部８ｎの長手方向に貫通する貫通孔６０が形成されている。支持アーム収納中空孔部５０の長手方向中間部には、筒部収納中空孔部５２と反対側の壁面に、収納された筒ブロック体５４を手で取り出すための凹み６２が設けられている。
【００６８】
支持アーム収納中空孔部５０は、支持アーム収納中空孔部５０の長手方向と平行な対向する壁面に差し渡された一対の受け棒６４を備えている。
【００６９】
筒ブロック体５４を図２８のＡ方向にみた正面図を図２９に示す。支持アーム部１２ｎには受け棒６４に嵌められる一対の溝６６と、溝６６に直交する一対の溝６８が形成されている。受け棒６４に溝６６が嵌められて筒ブロック体５４が受け棒６４に受けられるときには、筒部８ｎが穴明きブロック（枠体）１０ｎの載置される面に対して立てられ、ポールが筒部８ｎの中空部及び貫通孔６０に挿入されて立てられる。受け棒６４に溝６８が嵌められて筒ブロック体５４が受け棒６４に受けられるときには、筒部８ｎが倒されて筒ブロック体５４が中空孔部４８に収められる。着脱可能取付け支持アーム１２ｎ、受け棒６４、溝６６が円筒８ｂを枠ふち１６に着脱可能に連結する連結部６０１ｎを構成している。
【００７０】
図３０の平面図に、コンクリート製の穴明きブロック（枠体）１０ｐを備える、更に他の態様のポール支持体２ｐを示す。穴明きブロック（枠体）１０ｐは中央部に平面視Ｔ字形に中空孔部４８が形成されている。中空孔部４８は、支持アーム部１２ｐを収納する平面視直状の支持アーム収納中空孔部５０と筒部８ｐを収納する平面視直状の筒部収納中空孔部５２とから構成されている。支持アーム収納中空孔部５０の長手方向中央部から支持アーム収納中空孔部５０の長手方向と直交して筒部収納中空孔部５２が延出している。筒部８ｐ付きの支持アーム部１２ｐが、筒部８ｐを倒した状態で中空孔部４８に収められている。支持アーム部１２ｐの長手方向中央部から支持アーム部１２ｐの長手方向と直交して筒部８ｐが延出して両者は一体に成形されて筒ブロック体５４ｐ構成している。筒ブロック体５４ｐには筒部８ｐの中空部と連なって支持アーム部１２ｐを筒部８ｐの長手方向に貫通する貫通孔６０が形成されている。支持アーム収納中空孔部５０の長手方向中間部には、筒部収納中空孔部５２と反対側の壁面に、収納された筒ブロック体５４ｐを手で取り出すための凹み６２が設けられている。
【００７１】
穴明きブロック（枠体）１０ｐの、支持アーム収納中空孔部５０の長手方向にみた各端部の位置には、図３１に示す状態で断面Ｌ字形の受け部材７０が取付けられている。受け部材７０は直交する一対の板部７２、７４から成り、一の板部７２の面が、上下方向かつ支持アーム収納中空孔部５０の長手方向に平行に向いている。受け部材７０は支持アーム収納中空孔部５０の壁に一端部が埋め込まれ、埋め込まれた端部７６にはアンカー棒７９が結合して取付けを強化している。
【００７２】
一方、筒ブロック体５４ｐの正面図（図３２（ａ））及び側面図（図３２（ｂ））に示すように、支持アーム部１２ｐの長手方向各端部にはＬ字形の溝７４が形成されている。なお、図３２は、筒部８ｐが立てられた状態での正面図及び側面図である。図３３は支持アーム部１２ｐの長手方向端部の要部斜視模式図である。溝７４のうち、縦方向（筒部８ｐの長手方向）に延びる溝７５に、図３１の板部７２を嵌め込むことにより、筒部８ｐが立てられた状態で筒ブロック体５４ｐが穴明きブロック（枠体）１０ｐに取付けられる。溝７５は、支持アーム部１２ｐの筒部８ｐが取付けられた面と反対側の面７８に形成されている。溝７５と直角に延びる溝７７に板部７２を嵌め込むことにより、筒部８ｐが倒れた状態で筒ブロック体５４ｐが穴明きブロック（枠体）１０ｐに収められる。
【００７３】
溝７４は正面図（図３２（ｃ））及び側面図（図３２（ｄ））に示すように、支持アーム部１２ｑの筒部８ｐが取付けられた面８０に形成されてもよい。この場合、筒部８ｐが立てられた状態で、支持アーム部１２ｑの上方にくる面が板部７４で上から押えられることとなり、筒ブロック体５４ｑが確実に穴明きブロック（枠体）１０ｐに保持される。なお、この場合、穴明きブロック（枠体）１０ｐは図３１に示す態様の配置を裏返した図３４に示す配置で使用される。
【００７４】
本発明においては、筒ブロック体５４ｒが、正面図（図３２（ｅ））及び側面図（図３２（ｆ））に示すように、四角筒状の支持アーム部１２ｒを備えてもよい。支持アーム部１２ｒの長手方向各端部に、溝８０が形成されている。溝８０は、支持アーム部１２ｒの各面の板に形成される。溝８０は、支持アーム部１２ｒの各面の板のうち、少なくとも直交する２枚の板に形成されればよい。溝８０に、板部７２を嵌め込むことにより、筒部８ｐが立てられた状態及び筒部８ｐが倒れた状態で筒ブロック体５４ｒが穴明きブロック（枠体）１０ｐに保持される。
【００７５】
本発明の更に他の態様においては、図３５に示すように、載置面上に載置して、立てたポール６を支持するポール支持体２ｓが、ポール６を挿入することとなる円筒８と、枠ふち１６が載置面との接触面方向に一巡してなる枠体１０と、枠ふち１６と円筒８とを円筒８の軸心と直交する軸のまわりに回動可能に連結する回動可能連結部９０を含んで成る。回動可能連結部９０は、円筒８の軸心方向が枠体１０の接触面（枠体１６の一巡方向を含む面と平行な面）と直角又は斜めになる状態に円筒８が回動されたとき、円筒８を枠ふち１６に対して一時的に固定する回動一時固定手段９４を含んで成る。円筒８が、自身の長手方向が枠体１０の接触面と平行になる位置に回動されたとき、円筒８及び回動可能連結部９０が枠体１０の内側に収まる。
【００７６】
図３５（ａ）は、円筒８が倒されて、自身の長手方向が枠体１０の載置面との接触面（枠ふち１６の一巡方向）と平行になる位置に回動され、枠体１０の内側に収まった状態の平面図である。図３５において、回動可能連結部９０は、円筒８の下端部に円筒８の軸心方向と直交して一端で固定された回動支持アーム９２と、回動支持アーム９２の他端と枠ふち１６とを回動可能に連結し、かつ回動支持アーム９２を介して円筒８を枠ふち１６に対して一時的に固定する（回動支持アーム９２の回動を枠ふち１６に対して一時的に固定する）回動一時固定手段９４から構成される。図３５（ｂ）は、円筒８が立てられてポール６が円筒８に挿入されて立てられた状態の正面図である。
【００７７】
回動支持アーム９２は四角状の枠体１０の一辺の長手方向中央部から、その長手方向と直角に枠体１０の中央に向かって延出されている。円筒８を回動支持アーム９２の長手方向を軸として回動一時固定手段９４を介して回動させることにより、立てられた状態（図３５（ａ））と、倒された状態（図３５（ｂ））とが実現される。このいずれの状態においても、回動一時固定手段９４により、円筒８が固定される。
【００７８】
このように、ポール支持体２ｓは不使用時に構造をコンパクトに再構成することが出来るので、収納や運搬にスペースを取らない。
【００７９】
又、図３６の平面図に示す態様のポール支持体２ｔのように、回動支持アーム９２が枠体１０の一隅から枠体１０の中央に向かって延出されていてもよい。
【００８０】
更に、本発明においては、図３７の平面図に示すように、載置面上に載置して、立てたポール６を支持するポール支持体２ｕが、ポール６を挿入することとなる円筒８と、枠体１０と、枠ふち１６と円筒８とを円筒８の軸心と直交する軸のまわりに回動可能に連結する回動可能連結部９０ｕを含んで成る。回動可能連結部９０ｕは、円筒８の軸心方向が枠体１０の接触面（枠ふち１６の一巡方向を含む面と平行な面）と直角又は斜めになる状態に円筒８が回動されたとき、円筒８の回動を枠ふち１６に対して一時的に固定する回動一時固定手段９４ｕとを含んで成る。円筒８が、自身の長手方向が枠体１０の接触面と平行になる位置に回動されたとき、円筒８及び回動可能連結部９０ｕが枠体１０の内側に収まる。
【００８１】
図３７（ａ）は、円筒８が倒されて、自身の長手方向が枠体１０の載置面との接触面（枠ふち１６の一巡方向）と平行になる位置に回動され、枠体１０の内側に収まった状態の平面図である。図３７において、回動可能連結部９０ｕは、回動支持延出アーム９２ｘと、円筒８の下端と回動支持延出アーム９２ｘの先端とを回動可能に連結し、かつ回動支持延出アーム９２ｘを介して円筒８を枠ふち１６に対して一時的に固定する（円筒８を回動支持延出アーム９２ｘを介して枠ふち１６に一時的に固定する）回動一時固定手段９４ｕとから構成される。回動支持延出アーム９２ｘの長手方向と円筒８の軸心とは互いに直交して連結される。図３７（ｂ）は、円筒８が立てられてポール６が円筒８に挿入されて立てられた状態の正面図である。
【００８２】
回動支持延出アーム９２ｘは四角状の枠体１０の一辺の長手方向中央部から、その長手方向と直角に枠体１０の中央に向かって延出されている。円筒８を回動支持延出アーム９２ｘの長手方向を軸として回動一時固定手段９４ｕを介して回動させることにより、立てられた状態（図３７（ａ））と、倒された状態（図３７（ｂ））とが実現される。このいずれの状態においても、回動一時固定手段９４ｕにより、円筒８が固定される。
【００８３】
又、図３８の平面図に示す態様のポール支持体２ｖのように、回動支持延出アーム９２ｘが枠体１０の一隅から枠体１０の中央に向かって延出されていてもよい。
【００８４】
このように、ポール支持体２ｕ、２ｖも不使用時に構造をコンパクトに再構成することが出来るので、収納や運搬にスペースを取らない。
【００８５】
図３９に回動一時固定手段９４（図３５、図３６）の具体的構成の一例を示す。図３９（ａ）の断面図、そのＡ−Ａ´方向の断面図である図３９（ｂ）において、回動支持アーム９２が回動一時固定手段９４を介して枠ふち１６に取付けられている。回動一時固定手段９４は円筒部材１００、円柱部材１０２、係止バネ部１０４を含んで構成されている。円筒部材１００は、一端部１０６で開口し、一端部１０６周縁に円盤状にフランジ１０８が設けられている。円柱部材１０２は一端を枠ふち１６に固定されて枠ふち１６から枠体の内側に延出され、円筒部材１００の中空部に緩やかな嵌合状態で挿入されている。円筒部材１００は軸心方向を回動支持アーム９２の長手方向と同じくさせて回動支持アーム９２の端部と結合している。
【００８６】
フランジ１０８の裏面は円筒部材１００の一端部１０６と面一であり、枠ふち１６の内側面１１２に摺動可能に当接している。フランジ１０８には、一巡周方向を４等分する位置に、表面から裏面に貫通する係止孔１２４、１２５、１２６、１２７が形成されている。又、枠ふち１６の内側面１１２には一対の板バネ１１６がトメネジ１１８により取付けられている。板バネ１１６は一端部の裏面が枠ふち１６の内側面１１２に当接し、他端部の裏面はフランジ１０８の表面に当接する状態で、一端部がトメネジ１１８により固定され、他端部の裏面には係止孔１１４に落ち込む係止突起１２０が突出している。係止孔１２４、１２５は円筒部材１００を間にして、一の直線上に位置する。又、係止孔１２６、１２７はその直線と直交する直線上に円筒部材１００を間にして位置する。一対の係止孔１２４、１２５それぞれに係止突起１２０が同時に落ち込み、これにより回動支持アーム９２が枠ふち１６に係止されるように一対の板バネ１１６が配置されている。従って、この状態から円筒部材１００を軸心のまわりに９０度回動させると、他の一対の係止孔１２６、１２７に係止突起１２０が落ち込み、この状態でも回動支持アーム９２が枠ふち１６に係止される。
【００８７】
図３９の回動一時固定手段９４は、枠ふち１６のかわりに回動支持アーム９２を、回動支持アーム９２のかわりに円筒８を配することにより、円筒と直接連結された回動一時固定手段９４ｕ（図３７、図３８）として用いることが出来る。
【００８８】
図４０に円筒と直接連結された回動一時固定手段９４ｕ（図３７、図３８）の具体的構成の別の一例を示す。図４０（ａ）の断面図、そのＡ−Ａ´方向の断面図である図４０（ｂ）において、円筒８が一端部周面で、円筒と直接連結された回動一時固定手段１０３を介して筒状の回動支持延出アーム９２ｔの一端に取付けられている。円筒８の軸心と回動支持延出アーム９２ｔの長手方向とは直交している。回動支持延出アーム９２ｔの他端は枠ふち１６に取付けられている。回動一時固定手段１０３は、円盤状の台座１３２と、台座１３２の表面から立設する円柱部材１３４と、円柱部材１３４の先端面と枠ふち１６の内側面１１２との間に介在し、両者を互いに引き合う方向に付勢する引張りバネ１３６とから構成されている。
【００８９】
台座１３２は面方向を円筒８の軸心と平行にして裏面で円筒８の一端部外周面に固定されている。台座１３２の表面には、台座１３２と同心円状に位置する仮想円の一巡方向を等分する位置に、一対の係止突起１４０、１４１が設けられている。係止突起１４０、１４１を結ぶ仮想線は円筒８の軸心と平行である。一方、回動支持延出アーム９２ｔの一端の端面１４２には周縁の一巡方向を４等分する位置に、係止溝１４２、１４３、１４４、１４５が形成されている。係止突起１４０、１４１が係止溝１４２、１４３に落ち込んで円筒８が回動支持延出アーム９２ｔに係止される状態となる。又、この状態から円筒８が回動支持延出アーム９２ｔの長手方向を軸として９０度回動した状態でも、係止突起１４０、１４１が係止溝１４４、１４５に落ち込んで円筒８が回動支持延出アーム９２ｔに係止される。
【００９０】
図４０における枠ふち１６の位置に相当する位置に回動支持アーム９２（図３５、図３６）を配し、回動支持延出アーム９２ｔを短くして用いることにより、回動一時固定手段１０３は、回動支持アーム９２の一端に固定される回動一時固定手段９４（図３５、図３６）として用いることが出来る。
【００９１】
図４１の平面図に回動一時固定手段９４の更に他の態様の一例である回動一時固定手段９４ｗを示す。コンクリート製の穴明きブロック（枠体）１０ｗの中央部に平面視十字形に中空孔部４８ｗが形成されている。中空孔部４８ｗは、筒状の支持アーム部１２ｗ、１３ｗの一対を収納する平面視直状の支持アーム収納中空孔部５０と、ポール６を挿入することとなる筒部８ｗを収納する平面視直状の筒部収納中空孔部５２とから構成されている。支持アーム収納中空孔部５０の長手方向中央部から支持アーム収納中空孔部５０の長手方向と直交して前後それぞれに筒部収納中空孔部５２が延出している。又、穴明きブロック（枠体）１０ｗの外周壁面には、取っ手用に凹陥部５８が設けられている。
【００９２】
支持アーム部１２ｗと支持アーム部１３ｗとは、四角状の間部材１５５を間にしてそれぞれ間部材１５５から反対方向に延出している。
【００９３】
筒部８ｗは間部材１５５を介して支持アーム部１２ｗ、１３ｗと結合している。筒部８ｗの軸心と支持アーム部１２ｗ、１３ｗの軸心とは直交している。支持アーム部１２ｗ、１３ｗが筒部８ｗを立てた状態で中空孔部４８ｗに収められている。
【００９４】
支持アーム収納中空孔部５０の長手方向にみた一の端部の内壁１５０と、他の端部の内壁１５２とに、それぞれ円柱部材１５４、１５６の各一端部が埋め込まれ、円柱部材１５４、１５６の各他端部がそれぞれ内壁１５０、１５２から支持アーム収納中空孔部５０の中心に向けて突出している。
【００９５】
支持アーム部１２ｗの先端の周縁１６０には溝１６４、１６６が形成されている。溝１６４と溝１６６とは支持アーム部１２ｗの軸心を見やる角度が９０度である。支持アーム部１２ｗの延出先端部は、内壁１５０から突出した円柱部材１５４の突出端部に緩い嵌合状態で外嵌されている。円柱部材１５４の突出端部には溝１６４にはまる突起１６８が設けられている。突起１６８が溝１６４にはまることにより、支持アーム部１２ｗが自身の軸心のまわりに回動することが妨げられる。
【００９６】
支持アーム部１３ｗの延出先端部は、円柱部材１５６の突出端部に緩い嵌合状態で外嵌されている。支持アーム部１３ｗの中空部の長手方向中間に、停止板１７０が取付けられている。円柱部材１５６の突出端部の端面と停止板１７０との間にゴム体のような弾性体１７２が収められている。支持アーム部１２ｗを円柱部材１５６の方向に押しやることにより、弾性体１７２が圧縮されて突起１６８と溝１６４との係合がはずれる。この係合がはずれた状態で、支持アーム部１２ｗを自身の軸心のまわりに９０度回動して支持アーム部１２ｗを円柱部材１５４の方向に押しやることにより、溝１６６と突起１６８とを係合することが出来る。溝１６６と突起１６８とが係合した状態は、図４２に示すように、筒部８ｗ及び支持アーム部１２ｗ、１３ｗが中空孔部４８ｗに収められた状態である。図４３は、図４１のＡ方向の正面図である。
【００９７】
図４４に回動一時固定手段９４の更に他の態様の一例である回動一時固定手段９４ｘを備えたポール支持体２ｗの平面図を示す。ポール支持体２ｘは、枠体１０と、枠体１０の一対の隅１７０に対角状に差し渡された円筒状の取付け支持アーム１２ｘと、ポール６を挿入することとなる円筒８ｘと、各隅１７０から枠体１０の中央に向けて突出する円柱部材１５４、１５６とから構成されている。円筒８ｘは取付け支持アーム１２ｘの長手方向中央部に、円筒８ｘの軸心と取付け支持アーム１２ｘの軸心とを直交させて取付けられている。円筒８ｘの下端部は取付け支持アーム１２ｘを貫通している。
【００９８】
取付け支持アーム１２ｘの一の先端の周縁１６０には溝１６４、１６６が形成されている。溝１６４と溝１６６とは支持アーム部１２ｘの軸心を見やる角度が９０度である。取付け支持アーム１２ｘの一の先端部は、円柱部材１５４の突出端部に緩い嵌合状態で外嵌されている。円柱部材１５４の突出端部には溝１６４にはまる突起１６８が設けられている。突起１６８が溝１６４にはまることにより、取付け支持アーム１２ｘが自身の軸心のまわりに回動することが妨げられる。
【００９９】
取付け支持アーム１２ｘの他の先端部は、円柱部材１５６の突出端部に緩い嵌合状態で外嵌されている。取付け支持アーム１２ｘの中空部の、円柱部材１５６の突出端部の端面と円筒８ｘの下端部との間の空間にゴム鞠体のような弾性球体１７３が収められている。弾性球体１７３により取付け支持アーム１２ｘが円柱部材１５４の方向に付勢されている。取付け支持アーム１２ｘを円柱部材１５６の方向に押しやることにより、弾性球体１７３が圧縮されて突起１６８と溝１６４との係合がはずれる。この係合がはずれた状態で、取付け支持アーム１２ｘを自身の軸心のまわりに９０度回動して取付け支持アーム１２ｘを円柱部材１５４の方向に押しやることにより、溝１６６と突起１６８とを係合することが出来る。溝１６６と突起１６８とが係合した状態は、円筒８ｘ及び取付け支持アーム１２ｘが枠体１０の内側に収められた状態である。符合１８０はこの円筒８ｘ及び取付け支持アーム１２ｘが枠体１０の内側に収められた状態での、倒された円筒８ｘの位置を示す。
【０１００】
図４５は、図４４の態様において、弾性球体１７３のかわりに圧縮バネ１８２が用いられた態様のポール支持体２ｙを示す。図４５は円筒８ｘが倒された状態である。なお、図４５においては、取付け支持アーム１２ｘが円筒８ｘの下端部を貫通している。圧縮バネ１８２は、取付け支持アーム１２ｘの中空部に設けられた停止板１７０と円柱部材１５６の突出端部の端面との間に配されている。又、溝１６４は支持アーム部１２ｘの軸心を間にする反対側の周縁にも形成されている。突起１６８は円柱部材１５４の周面を一順する仮想の円を４等分する位置にそれぞれ設けられている。
【０１０１】
図４６は、図４５の態様において、圧縮バネ１８２が取付け支持アーム１２ｘの外に配された態様のポール支持体２ｚを示す。図４６の態様においては、圧縮バネ１８２は、取付け支持アーム１２ｘの、円柱部材１５６がわの端面と、円柱部材１５６の根元部に設けられたフランジ１８４との間に円柱部材１５６を挿入させて配される。
【０１０２】
図４７に回動一時固定手段９４の更に他の態様の一例であるアーム回動一時固定手段１９４を備えたポール支持体２０２の平面図を示す。図４７は円筒８が倒された状態である。ポール支持体２０２は、枠体１０と、枠体１０の一辺の内側から枠体１０の中央に向けて延出する取付け支持アーム２１２と、ポール６を挿入することとなる円筒８とを含んで構成されている。円筒８は取付け支持アーム２１２の延出端部に、円筒８の軸心と取付け支持アーム２１２の軸心とを直交させて取付けられている。
【０１０３】
一方、枠体１０の一辺の内側から枠体１０の中央に向けて雄ネジ１８４が突出して取付けられている。取付け支持アーム２１２の根元端部には雌ネジ孔１８６が形成され、雄ネジ１８４と取付け支持アーム２１２が螺合されている。この螺合状態で取付け支持アーム２１２を自身の軸心のまわりに回動させて、円筒８を立てたり倒したりする。雄ネジ１８４には、取付け支持アーム２１２を所定の状態で固定するための不図示の締め付け用のナットが螺合されて、枠体１０の一辺と取付け支持アーム２１２の根元端面との間の位置に配されてもよい。
【０１０４】
図４８に円筒回動一時固定手段９４ｕの他の態様の一例である円筒回動一時固定手段１９５ａを備えたポール支持体２０２ａの平面図を示す。図４８は円筒８が、枠体１０が載置される面（枠体１０の接触面）に対して立った状態である。ポール支持体２０２ａは、枠体１０と、枠体１０の一辺から対向する他辺に差し渡された取付け支持アーム２１２ａと、ポール６を挿入することとなる円筒８とを含んで構成されている。円筒８は取付け支持アーム２１２ａの長手方向中央部に、立った状態では円筒８の軸心と取付け支持アーム２１２ａの軸心とを直交させて取付けられている。
【０１０５】
円筒８の下端部周面には雄ネジ１８８が突出して取付けられ、取付け支持アーム２１２ａに形成された挿通孔１９１に挿通している。円筒８と取付け支持アーム２１２ａとはナット１９０により、円筒８が、枠体１０が載置される面（枠体１０の接触面）に対して任意の角度をなす状態で、一時的に締結固定される。
【０１０６】
図４９は、図４８において取付け支持アーム２１２ｂが枠体１０の一辺から隣接の他辺に差し渡された場合の態様である。
【０１０７】
図５０は取付け支持アーム２１２ｃの一端部が雄ネジ１８８ｃとなった態様の一例である。円筒８は取付け支持アーム２１２ｃの他端部に、円筒８の軸心と取付け支持アーム２１２ｃの長手方向とを直交させて固定され取付けられている。枠体１０の辺に雄ネジ１８８ｃを挿通する挿通孔１９１ｃが形成され、枠体１０の辺と取付け支持アーム２１２ｃとは、一対のナット１９０により、円筒８が、枠体１０が載置される面（枠体１０の接触面）に対して任意の角度をなす状態で、一時的に締結固定され、アーム回動一時固定手段３９５ｃが構成される。取付け支持アーム２１２ｃに不図示のフランジが設けられ、フランジとナットとで枠体１０の辺を挟んでこの締結固定が行なわれてもよい。
【０１０８】
図５１は取付け支持アーム２１２ｃの一端部が雄ネジ１８８ｃとなった態様の他の一例である。枠体１０の一隅に隣接の辺同士に取付け梁１９２が差し渡たされ、取付け梁１９２に雄ネジ１８８ｃを挿通する挿通孔１９１ａが形成されている。取付け梁１９２と取付け支持アーム２１２ｃとが、一対のナット１９０により、円筒８が、枠体１０が載置される面（枠体１０の接触面）に対して任意の角度をなす状態で、一時的に締結固定され、アーム回動一時固定手段３９５ｃが構成される。取付け支持アーム２１２ｃに不図示のフランジが設けられ、フランジとナットとで取付け梁１９２を挟んでこの締結固定が行なわれてもよい。
【０１０９】
図５２に本発明のポール支持体及びアーム回動一時固定手段の他の態様を示す。図５２において、ポール支持体２０２ｄは、枠体１０と、枠体１０の一隅において、一辺から隣接の他辺に差し渡された渡し板１９２ｄと、取付け支持アーム２１２ｄと、ポール６を挿入することとなる円筒８とを含んで構成されている。渡し板１９２ｄの面は枠体１０が載置される面（枠体１０の接触面）と直交している。即ち渡し板１９２ｄの面は、枠ふち１６の一巡方向を含む面と直交している。円筒８は、取付け支持アーム２１２ｄの一端部に、円筒８の軸心と取付け支持アーム２１２ｄの長手方向とを直交させて、固定されている。
【０１１０】
取付け支持アーム２１２ｄは、渡し板１９２ｄの面から枠体１０の中央に向けて他端を根元として延出している。取付け支持アーム２１２ｄは山形鋼から成り、他端に締結板２１０が接合されている。締結板２１０の面は取付け支持アーム２１２ｄの長手方向と直交する。締結板２１０及び渡し板１９２ｄにはそれぞれ面方向に直角に挿通孔が形成されている。締結板２１０及び渡し板１９２ｄを面接させ、ボルト２１４をその挿通孔に挿通させてナットを用いて締結することにより、円筒８が取付け支持アーム２１２ｄと、締結板２１０、渡し板１９２ｄ及びボルト２１４を含むアーム回動一時固定手段３９５ｄとを介して連結される。
【０１１１】
ボルト２１４を緩めて取付け支持アーム２１２ｄを自身の長手方向を軸に回動させ、再度ボルト２１４締結することにより、円筒８が、枠体１０が載置される面（枠体１０の接触面）に対して任意の角度をなす状態で、一時的に締結固定される。
【０１１２】
なお、渡し板１９２ｄには、断面Ｌ字形の補助板２１６が取付けられている。補助板２１６の一の面２１８が取付け支持アーム２１２ｄの他端で取付け支持アーム２１２ｄを構成する板の一の面と当接して、取付け支持アーム２１２ｄが、円筒８を所定の位置状態に保って、安定に渡し板１９２ｄに固定される。即ち、補助板２１６の一の面２１８が、取付け支持アーム２１２ｄを構成する、円筒８の軸心方向と平行な板の面と当接するときには、円筒８が立てられた状態であり、補助板２１６の一の面２１８が、取付け支持アーム２１２ｄを構成する、円筒８の軸心方向と直交する板の面と当接するときには、円筒８が倒されて枠体１０の内側に収まった状態である。取付け支持アーム２１２ｄの位置Ｐ、Ｑ及び補助板２１６の位置Ｑに対応する位置にも挿通孔が設けられて、取付け支持アーム２１２ｄと補助板２１６とが他のボルトにより締結されてもよい。
【０１１３】
図５３に本発明のポール支持体及びアーム回動一時固定手段の他の態様を示す。図５３（ａ）において、ポール支持体２０２ｅは、枠体１０と、枠体１０の一隅から枠体１０の中央に向けて延出された円筒状部材２２０と、円筒状部材２２０の延出端部の中空部に、一端部を挿入させた円柱状の取付け支持アーム２１２ｅと、ポール６を挿入することとなる円筒８とを含んで構成されている。円筒８は、取付け支持アーム２１２ｅの他端部に、円筒８の軸心と取付け支持アーム２１２ｅの長手方向とを直交させて、固定されている。
【０１１４】
円筒状部材２２０の延出端部と、円筒状部材２２０の延出端部の中空部に挿入させた取付け支持アーム２１２ｅの一端部とには、両者を貫通する貫通孔２２２が形成されている。又、取付け支持アーム２１２ｅの一端部には、貫通孔２２２と直交して直交貫通孔２２４が形成されている。円筒８が立てられた状態で、貫通孔２２２に閂棒２２６が通されて、取付け支持アーム２１２ｅの軸心のまわりの回動と長手方向の前後の移動が制限される。これにより、円筒８は、円筒状部材２２０、貫通孔２２２、閂棒２２６を含むアーム回動一時固定手段３９５ｅを介して枠体１０に連結される。図５３（ｂ）は、円筒状部材２２０、貫通孔２２２、閂棒２２６の分解図である。なお、円筒８が倒された状態では、貫通孔２２２の円筒状部材２２０の部分と、直交貫通孔２２４とに閂棒２２６が通される。
【０１１５】
なお、図５３の態様は、円筒状部材２２０を、円筒８に取付ける取付け支持アームとみなすことも出来る。その場合は、貫通孔２２２、閂棒２２６、取付け支持アーム２１２ｅを含む円筒回動一時固定手段が構成される。
【０１１６】
本発明の他の態様の一例を図５４の平面図に示す。図５４において、ポール支持体２０２ｆは、枠体１０ｆと、ポール６を挿入することとなる円筒８と、枠体１０ｆと円筒８とを連結する回動可能連結部２３０から構成される。連結部２３０は、枠体１０ｆの対角線上に位置する一対の隅２３４からそれぞれ円筒８の上端部に至るまで延出された連結部材２３２の一対を含み、連結部材２３２の枠体１０ｆがわの端部２３６が、隅２３４と回動可能に係合している。端部２３６の、隅２３４に面する面には、棒状突起２３８が突出している。隅２３４には、枠体１０ｆの内外方向に貫通孔２４０が形成されている。図５６は、円筒８と、連結部材２３２の形状を示す要部斜視図である。連結部材２３２は長尺の板バネから成り、一端部２３６が、隅２３４と略面接するように自身の長手方向と直交する折り目で折り曲げられている。連結部材２３２、２３２はそれぞれ他端を根元として円筒８の上端部から互いに反対方向かつ斜め下方向に延出している。
【０１１７】
連結部材２３２、２３２を互いに近づける方向に撓ませ、棒状突起２３８、２３８をそれぞれ貫通孔２４０、２４０に係合させて円筒８が回動可能連結部２３０を介して枠体１０ｆに係合される。このとき、各連結部材２３２は、面接する隅２３４の方向に付勢される。
【０１１８】
図５４は円筒８が倒されて枠体１０ｆの内側に収まった状態であり、図５５は円筒８が立った状態の正面図である。いずれの状態においても、取付け支持アーム２１２（連結部材２３２ｆ）が、この付勢により枠体１０ｆに対してこのアーム回動一時固定手段３９５ｆにより、一時的に固定される。
【０１１９】
ポール支持体２０２ｆにおいては、連結部材２３２が、面接する隅２３４の方向に付勢されるので、回動２４０、２４０を結ぶ仮想線を軸として回動する円筒８を、任意の所定の位置で一時的に固定出来る。
【０１２０】
本発明の更に他の態様の一例を図５７に示す。図５７（ａ）の平面図において、ポール支持体２０２ｇは、枠体１０と、ポール６を挿入することとなる短尺の円筒８ｇと、枠体１０と円筒８ｇとを連結する回動可能連結部２３０と、固定円筒２４９とから構成される。回動可能連結部２３０は、枠体１０の相対する辺２４２からそれぞれ円筒８ｇの上端部に至るまで延出された連結部材２３２の一対を含み、連結部材２３２の枠体１０がわの端部２３６が、辺２４２と回動可能に係合している。端部２３６の、辺２４２に面する面には、棒状突起２３８が突出している。辺２４２には、枠体１０の内外方向に貫通孔２４０が形成されている。固定円筒２４９は、枠体１０の内側に位置し、軸心が枠ふち１６の一巡方向を含む面と直交し、連結棒２４８を介して枠ふち１６と連結固定されている。図５７（ａ）は、円筒８ｇが倒された状態である。
【０１２１】
図５７（ｂ）に円筒８ｇが立った状態のポール支持体２０２ｇの正面図を示す。円筒８ｇと、固定円筒２４９とは軸心が一致している。
【０１２２】
図５８のポール支持体２０２ｈは、図５４における枠体１０ｇが円環状の枠体１０ｈとなり、連結部材２３２が弧状の形状の２３２ｈとなった態様である。
【０１２３】
図５９のポール支持体２０２ｉは、図５７における枠体１０が円環状の枠体１０ｈとなり、連結部材２３２が弧状の形状の２３２ｈとなった態様である。
【０１２４】
図６０のポール支持体２０２ｊは、図５４における枠体１０ｇが平面視略三角形状の枠体１０ｊとなった態様である。図６０（ａ）の平面図は、円筒８が倒された状態、図６０（ｂ）の正面図は、円筒８が立った状態である。
【０１２５】
図６１のポール支持体２０２ｋは、図５７における枠体１０が平面視略三角形状の枠体１０ｊとなった態様である。図６１（ａ）の平面図は、円筒８ｇが倒された状態、図６１（ｂ）の正面図は、円筒８ｇが立った状態である。
【０１２６】
図６２のポール支持体２０２ｍは、図５４における円筒８が図５７における短尺の円筒８ｇとなった態様である。図６０（ａ）の平面図は、円筒８ｇが倒された状態、図６０（ｂ）の正面図は、円筒８ｇが立った状態である。
【０１２７】
図６３に本発明の又更に他の態様の一例を示す。図６３（ａ）の正面図、図６３（ｂ）の平面図において、ポール支持体２０２ｎは、枠体１０と、ポール６を挿入することとなる短尺の円筒８ｇと、枠体１０と円筒８ｇとを連結する回動可能連結部２３０ｎと、下部円筒２４９ｎとから構成される。回動可能連結部２３０ｎは、４辺から成る四角枠状の枠部材２５０を含んで構成される。枠部材２５０は一の辺２５２の長手方向中央に、一の辺２５２を長手方向に２分してその中間に介在する状態で円筒８ｇが取付けられている。円筒８ｇの軸心方向は、枠部材２５０の枠の一巡方向を含む面と平行である。一の辺２５２と対向する対向辺２５４の長手方向中央に、対向辺２５４を長手方向に２分してその中間に介在する状態で下部円筒２４９ｎが取付けられている。枠体１０と枠部材２５０とは、回動連結部２６４を介して回動自在に連結されている。円筒８ｇが立てられた（図６３（ｃ））とき、円筒８ｇの軸心方向と下部円筒２４９ｎの軸心とが、一致する。
【０１２８】
図６３（ａ）の状態では、円筒８ｇが枠体１０の内側に収まっている。又、枠部材２５０には雌ネジ２５９が形成され、対応する位置で枠体１０の枠ふち１６には、固定用ボルト２６０を挿通する挿通孔２６２が形成されている。又、枠ふち１６と枠部材２５０とは、雌ネジ２５９に螺入される固定用ボルト２６０を介して一時的に固定され、これにより、円筒８ｇが枠体１０に対して一時的に固定される。
【０１２９】
一方、図６３（ｃ）の状態で、円筒８ｇが枠体１０に対して一時的に固定されるように、枠ふち１６には、固定用ボルト２６０を挿通する挿通孔２６２ａが形成され、対応する位置で枠部材２５０には雌ネジ２５９ａが形成されている。これにより、円筒８ｇが枠体１０に対して立てられて一時的に固定される。いずれの状態においても、取付け支持アーム２１２ｎ（枠部材２５０）が、枠体１０に対してアーム回動一時固定手段３９５ｐにより、一時的に固定される。
【０１３０】
図６３（ｄ）は、図６３（ａ）の態様において、円筒８ｇが２個備えられ、２個のポール６が並んで装着できるポール支持体２０２ｎｎを示す。
【０１３１】
図６４に本発明の又更に他の態様の一例を示す。図６４のポール支持体２０２ｐは、図６３の態様における枠体１０及び枠部材２５０が、半円形の形状の穴明きブロック（枠体）１０ｐ及び枠部材２５０ｐである場合である。
【０１３２】
図６５に本発明の更に又他の態様の一例を示す。図６５（ａ）の平面図、図６５（ａ）のＡ−Ａ´方向の断面図である図６５（ｂ）において、ポール支持体２０２ｑは、枠体１０と、ポールを挿入することとなる円筒８、枠体１０と円筒８とを連結する回動可能連結部２３０ｑと、付勢部材２７０とから構成される。回動可能連結部２３０ｑは、図６６の要部斜視模式図に示すように、円筒８を長手方向中央で固定する山形の取付け支持アーム２１２ｑを含んで構成される。取付け支持アーム２１２ｑの両端部には、それぞれ突起２７２が設けられている。突起２７２は、枠体１０の一対の対向する隅の内側に固定された受け板２７４の受け孔２７６にそれぞれ挿入され、回動連結部２６４ｐが構成されている。付勢部材２７０は図６７の要部斜視模式図に示すように、山形の板バネ２８０から成り、板バネ２８０の両端部には、それぞれ挿通孔２８２が設けられている。符合２８４は板バネ２８０の両端部それぞれに貼り合わされ、その両端部を補強する補強部材である。板バネ２８０の長手方向中央には円筒８を挿通させる挿通孔２８６が形成されている。
【０１３３】
ポール支持体２０２ｑが組み立てられた状態あるいは倒された状態で、付勢部材２７０の両端の面それぞれが、受け板２７４の面に付勢されて押しつけられる。これにより生ずる摩擦力により、円筒８が枠体１０に対して付勢部材２７０を介して一時的に固定される。いずれの状態においても、円筒８が枠体１０に対して取付け支持アーム２１２ｑを介してアーム回動一時固定手段３９５ｑにより、一時的に固定される。
【０１３４】
図６８（ａ）の平面図と、図６８（ａ）のＡ−Ａ´方向の断面図である図６８（ｂ）に、本発明の又更に他の態様の一例を示す。図６８のポール支持体２０２ｒは、図６７の態様における枠体１０が円形の枠体１０ｒであり、取付け支持アーム２１２ｑ、付勢部材２７０が、それぞれ半円弧状の支持アーム２１２ｒ、付勢部材２７０ｒである場合である。
【０１３５】
図６９に本発明の別の態様の一例を示す。図６９（ａ）の要部斜視模式図において、枠ふち１６ｓの内側から枠体の中央に向けて山形鋼から成る取付け支持アーム２１２ｓが延出している。取付け支持アーム２１２ｓの先端部にコイルバネから成る円筒状部材（円筒）８ｓが立設している。円筒状部材８ｓの内側中空部材にポール６が挿入される。図６９（ｂ）の要部斜視模式図は円筒状部材８ｓが倒された状態であり、円筒状部材８ｓの先端部が係止部２８８に係止される。この態様においては、円筒状部材８ｓの根元が、枠ふち１６ｓと円筒状部材８ｓとを円筒状部材８ｓの軸心と直交する軸のまわりに回動可能に連結する回動可能連結部２３０ｓとなっている。又、係止部２８８が、円筒状部材８ｓを枠ふち１６ｓに一時的に固定する回動一時固定手段２１３ｓとなっている。
【０１３６】
係止部２８８は、取付け支持アーム２１２ｓである山形鋼を構成する一対の板のうちの一方の板２９２の縁から他方の板２９３の面と平行に延出された、係止板２９０を含んで構成される。図６９（ｂ）のＡ−Ａ´方向の断面図である図６９（ｃ）に示すように、係止板２９０と他方の板２９３との間の隙間２９４に押し込まれて係止される。
【０１３７】
図７０に本発明の又別の態様の一例を示す。図７０の、ポールを挿入することとなる円筒８が倒された状態の、ポール支持体２０２ｔの平面図において、枠ふち１６の内側から枠体１０の中央に向けて連結コイルバネ２９６が延出している。一方、取付け支持アーム２１２ｔの一の先端部に円筒８の根元が互いの長手方向を直交させて固定されている。立設している。取付け支持アーム２１２ｔの他の先端部は、連結コイルバネ２９６の内側中空部に嵌入され固定され、連結コイルバネ２９６により、円筒８が枠ふち１６の一巡方向と直交する方向に立つように付勢されている。円筒８を倒して、枠ふち１６に設けられた係止部２９８（回動一時固定手段２１３ｔ）に一時的に係止固定する。
【０１３８】
図７１の要部斜視模式図に、係止部２９８の態様を示す。係止部２９８は、枠ふち１６の内側に取付けられた断面コの字形の部材から成り、この部材を構成する板に囲まれた空間２９９に円筒８の先端を挿入して、円筒８を倒された状態に一時的に固体する。
【０１３９】
図７２（ａ）の平面図、図７２（ｂ）の正面図に本発明の更に又別の態様の一例を示す。ポール支持体２０２ｕは、ポール６を挿入することとなる円筒８と、枠体１０と、枠体１０の中央部に、軸心を枠ふち１６の一巡方向と直交させて、結合部材３００を介して枠ふち１６に固定された固定環体３０４と、両端にそれぞれ軸着部３１６、３１７、３１８、３１９を備える伸縮自在な一対の棒状部材３０８、３０９と、棒状部材３０８、３０９の間に介在する環体３１０とから構成される。環体３１０の一の周面部と棒状部材３０８の一の端が軸着部３１６で軸着され、環体３１０の他の周面部と棒状部材３０９の一の端が軸着部３１８で軸着されている。環体３１０の一の周面部と環体３１０の他の周面部とは、環体３１０の軸心を間にして対向する位置にある。枠ふち１６と棒状部材３０８の他の端が軸着部３１７で軸着され、枠ふち１６と棒状部材３０９の他の端が軸着部３１９で軸着されている。軸着部３１７は、枠体１０の一の隅の内側に配されている。軸着部３１９は、枠体１０の、一の隅に枠体１０の中央部を間に対向する他の隅の内側に配されている。
【０１４０】
このような構成により、環体３１０が棒状部材３０８、３０９の伸縮にともなって上下動可能とされる。又、固定環体３０４と環体３１０とで、枠ふち１６の一巡方向と直角方向に向く共通の貫通孔３１２が形成され、共通の貫通孔３１２にポール６が挿入される。図７２はポール６が共通の貫通孔３１２に挿入されて立設された状態である。ポール６を立設しないときは、環体３１０を下降させて、枠体１０の内側空間内に収納する。
【０１４１】
棒状部材３０８、３０９は、長手方向中間に伸縮された状態を固定する固定手段３１４を備えている。固定手段３１４の一例を図７３の分解構造模式図に示す。図７３においては、太管３２０と、細管３２２が棒状部材３０８（又は３０９）を構成している。太管３２０の中空部にはその先端から細管３２２が挿入されている。太管３２０の先端縁部には複数の溝状の切れ目３２４が形成され、細管３２２が太管３２０に挿入されると切れ目３２４が開いて先端縁部が外方向にひらき、縁部の周径が拡張される。又、太管３２０の先端縁部の外周面は円錐台周面状をなして、先端縁から太管３２０の長手方向の中間部にかけた方向に徐々に太まってテーパー部３２６が形成されている。テーパー部３２６に隣接し、テーパー部３２６から太管３２０の長手方向の中間部の方向に位置して、太管３２０の外周に雄ネジ３２８が形成されている。細管３２２が挿入された状態で雄ネジ３２８に筒状のキャップ３３０が螺合される。キャップ３３０は、一端部内周に雌ネジ３３２が形成され、他端部内周の径が一端部から他端部の方向にかけて徐々に細くなって内周テーパー部３３４が形成されている。筒状のキャップ３３０の螺合により、内周テーパー部３３４の壁面でテーパー部３２６が圧迫されて、太管３２０の先端縁部の径が細められ、挿入された細管３２２が外側から締め付けられて、太管３２０に対して所定の位置で固定される。
【０１４２】
棒状部材３０８、３０９を、長手方向中間に伸縮された状態で固定する固定手段は、棒状部材３０８（３０９）を構成する可動脚と固定脚のうちの一方の脚が他方の脚の間を摺動して伸縮するように構成されて、この可動脚と固定脚との固定が、離間した２本の固定脚の間に可動脚を挾持し、一方の脚を遊嵌させ、他方の脚と一体に形成されたねじを備えた固定部材を用いて、固定部材のねじにより固定する態様であってもよい。
【０１４３】
あるいは、この固定手段は、第１の管状体の内側に第２の管状体を突出長さ調節可能に配設し、前記第１の管状体の下端部の外周側に操作レバー保持部材を固定して取り付け、この操作レバー保持部材が保持した操作レバーの操作によりブレーキが前記第２の管状体の外面に圧着し、このブレーキの圧着によって前記第２の管状体が前記第１の管状体に対して固定される構成であってもよい。
【０１４４】
本発明において、ポール６を挿入することとなる複数個の円筒８が１個の枠体に備えられた他の一例を図７４の要部斜視模式図に示す。図７４（ａ）は円筒８が立てられた状態、図７４（ｂ）は円筒８が倒された状態である。図７４においては、円筒８が枠体１０の四隅それぞれに配されている。各円筒８は、枠ふち１６と回動可能連結部２３０ｖを介して回動可能に連結されている。円筒８は枠体１０の中心部に向けて倒されてもよい。
【０１４５】
更に、本発明においては、図１９に示される態様の網状部材付きのポール支持体は、図２、図３、図８、図９、図２１、図３５〜図３８、図４４〜図４７、図５２〜図７２に示される態様のポール支持体にも適用出来る。例えば、図５４示される態様のポール支持体２０２ｆに適用した状態を図７５に示す。
【０１４６】
本発明の更に別の態様の一例を図７６（ａ）の平面図と、図７６（ｂ）の正面図に示す。本発明のポール支持体２０２ｘは、ポールを挿入することとなる円筒６と、枠体１０と、枠体１０の枠ふち１６から延出され延出端部で円筒８を固定する棒状の支持体３４０とから構成されている。円筒８は、軸心方向を枠ふち１６の一巡方向と直角にして配され、円筒８の下端が、枠体１０の内側、即ち枠体１０の下面を含み枠ふち１６に囲まれた平面上又はその平面の上方に位置している。又、支持体３４０は板状であっても、鉤状に曲っていてもよいが、支持体３４０の、その平面へのその平面と直角の方向からの投影像は細長である。
【０１４７】
図７８は、支持体３４０が枠ふち１６から延出される場所が図７６と異なる態様のポール支持体２０２ｗの平面図（ａ）、正面図（ｂ）である。
【０１４８】
図７９は、支持体３４０ｚが枠ふち１６から上方かつ途中で鉤状に曲がって延出される態様のポール支持体２０２ｚの正面図（ａ）、平面図（ｂ）である。支持体３４０ｚの先端に、円筒８ｚが固定されている。更に、支持体３４０ｚと連接する他の支持体３４１ｚが枠ふち１６から枠体１０の中央に向けて延出され、支持体３４１ｚの先端に他の円筒８ｚｚが固定されている。円筒８ｚと、円筒８ｚｚとは、軸心を同一にしている。
【０１４９】
図７６、図７８のような、枠体が積み重ね可能なポール支持体の、枠体形状は、正多角形もしくはそれに近い形状であってもよい。円形もしくはそれに近い形状であってもよい。
【０１５０】
このような態様のポール支持体２０２ｗ、２０２ｘ、２０２ｚは、図７７の平面図に示すように、各段ごとに枠体１０を９０度ずつ回転させた状態で、多段に場所を取ることなく積み重ねることが出来る。
【０１５１】
更に、多段に場所を取ることなく積み重ねが可能な本発明のポール支持体の他の態様の一例を図８０に示す。図８０（ａ）の平面図、図８０（ｂ）の正面図において、ポール支持体３０２ｗは、ポールを挿入することとなる円筒８と、枠体１０と、枠体１０の内側枠ふち１６の内側から上方に延出され端部で円筒８を固定するＬ字形の棒状の支持体３４０ｗとから構成されている。円筒８は、軸心方向を枠ふち１６の一巡方向と直角にして配され、平面視で枠体１０の内側中央に位置している。又、円筒８の下端が、枠体１０の上面を含む平面から一定の間隔ＬＫを保つ上方に位置している。
【０１５２】
ポール支持体３０２ｗは、図８１（ａ）の正面図、図８１（ｂ）の平面図に示すように、各段ごとに枠体１０を９０度ずつ回転させた状態で、多段に場所を取ることなく積み重ねることが出来る。この態様は、図７７に示す態様に比べ、積み重ねたとき枠体１０のはみ出しがなく更に好ましい。
【０１５３】
本発明の又更に別の態様の一例を図８２に示す。図８２において、本発明のポール支持体２０２ｙは、筒体８ｙと、筒体８ｙを着脱可能に保持する保持部３４５と、保持部３４５から筒体８ｙの長手方向と直交する方向に放射状に延出される延出部３４４と、延出部３４４から地中に垂下することとなる垂下部３４６を含んで成るポール支持体である。筒体８ｙはその中間部を境に下端部が地中３４１（図８４）に埋められ上端部が地面３４２（図８４）から上方に突出することとなる。
【０１５４】
図８３の分解斜視図に示すように、延出部３４４は一対の山形鋼部材３４８、３４９を十字状に交差させることにより構成される。山形鋼部材３４８、３４９の片辺板部３５０が延出部３４４を構成し、他の片辺板部３５１が垂下部３４６を構成し、山形鋼部材３４８の一対が交差する位置に筒体８ｙを挿入する挿通用孔３５４が形成されている。更に、山形鋼部材３４８の垂下部３４６の縁から上方に切込み溝３５６が形成され、山形鋼部材３４９の、延出部３４４の縁から垂下部３４６にかけて山形鋼部材３４９の長手方向と直交する方向に切込み溝３５９が形成され、互いに自身の該切込みを相手に嵌合して山形鋼部材３４８と山形鋼部材３４９とが交差している。
【０１５５】
筒体８ｙは長手方向中間部に外周を一巡するフランジ状突起３５９を有している。筒体８ｙを挿通用孔３５４に挿入し、フランジ状突起３５９を延出部３４４の上面に当接させることにより、筒体８ｙの延出部３４４に対する位置決めがなされる。図８４は、ポール支持体２０２ｙが組み立てられて地面３４２に装着された状態を示す。本発明のポール支持体２０２ｙは、嵩張らず、更に、分解可能とすることができて保管、運搬が容易であり、かつ、地中に食い込んでいる部分があるので、ポールを風圧等の外力に抗して安定して設立出来る。
【０１５６】
更に、本発明においては、ポール支持体に備えられた円筒にポール支持体アタッチメントを装着することにより、複数個のとが出来る。又、一対の脚を下端に備える看板を立設することが出来る。この態様を以下に示す。
【０１５７】
図８５において、本発明のポール支持体アタッチメント３８０は、ポール支持体２ｃに備えられた円筒８に上方から外挿する装着用筒３８２と、ポールを挿入して立設することになる挿入筒３８４、３８４と、装着用筒３８２及び挿入筒３８４、３８４を支持する架橋部３８６とで構成される。架橋部３８６は、装着用筒３８２から装着用筒３８２の軸心と直交して互いに反対方向に延出され、各端部に挿入筒３８４を垂下させて固定している。装着用筒３８２は下端が開口され、挿入筒３８４は上端が開口されている。このような態様で、ポール支持体アタッチメント３８０をポール支持体２ｃの円筒８に装着し、することにより、挿入筒３８４、３８４にそれぞれポールを挿入して立設することが出来る。又、一対の脚を下端に備える看板等の被装着物を立設することが出来る。
【０１５８】
装着用筒３８２は円筒８に内挿されてもよい。ポール支持体アタッチメント３８０を装着可能なポール支持体はポール支持体２ｃに限らず、装着用筒３８２を内挿又は外挿できる円筒を備えるものであればよい。即ち、ポール支持体アタッチメント３８０は、本明細書に記載の全てのポール支持体に適用される。
【０１５９】
図８６に、架橋部が伸縮可能であるポール支持体アタッチメントの一例を示す。架橋部３８６ａは装着用筒３８２の上端部から左右それぞれに延出される長尺ナット３８８と、長尺ナット３８８に一端が螺入される雄ネジ棒３９０とから成り、挿入筒３８４の上端部が雄ネジ棒３９０の他端に接合されている。雄ネジ棒３９０には、締めナット３９１が螺合されている。
【０１６０】
この態様により、挿入筒３８４、３８４の間隔を変えることができ、脚の間隔が異なる看板に対して、ポール支持体アタッチメント３８０ａが適用可能である。
【０１６１】
図８７に装着用筒３８２がポール支持体の円筒８に回転可能に装着された態様の一例を示す。図８７の断面図において、円筒８に外挿された装着用筒３８２の中空部の長手方向中間部に摺動用板３９２が、面を装着用筒３８２の長手方向に直交させて固定されている。円筒８の上端に半球形の摺動用部材３９４が曲面を上にして固定されている。摺動用部材３９４の曲面上に摺動用板３９２の下面が載置される状態となり、これにより、装着用筒３８２が回転可能になる。従ってこのような機構により、ポール支持体アタッチメント３８０や、ポール支持体アタッチメント３８０ａが、ポール支持体に回転可能に装着される。
【０１６２】
ポール支持体アタッチメントの他の態様の一例を示す。図８８（ａ）の正面図、図８８（ｂ）の平面図において、ポール支持体アタッチメント３８０ｂは、３個のコイル部４０１、４０２、４０３を有し１本の線材から成るコイルバネから構成される。両端それぞれに位置するコイル部４０１、４０２が、ポールや看板の脚を立設するための挿入筒３８４ｂ、３８５ｂとなる。中央のコイル部４０３が、ポール支持体の円筒に外挿される装着用筒３８２ｂとなる。
【０１６３】
図８８（ｂ）に示すように、装着用筒３８２ｂから左右に延出され、装着用筒３８２ｂと挿入筒３８４ｂ、３８５ｂとをそれぞれ結ぶ架橋部（アーム）３９６は、コイル部と同じ弾性線材から成るので、架橋部３９６を弾性的に撓ませて挿入筒３８４ｂ、３８５ｂを互いに近づける方向に可逆的弾性的に移動させることが可能である。このとき、挿入筒３８４ｂと、挿入筒３８５ｂとの間の距離Ｌに応じて、架橋部３９６、３９６の成す角度αが変わり、又、挿入筒３８４ｂ、３８５ｂは互いに離れる方向に付勢される。この態様により、看板３９８の脚３９９の間隔（Ｌ）が異なっても、その間隔にあわせて挿入筒３８４ｂ、３８５ｂに装着出来る。かつ、挿入筒３８４ｂ、３８５ｂが脚３９９に対しても付勢されるので、看板３９８の脚３９９を確実に保持出来る。又、この態様は、コイル部４０３の変形も架橋部３９６の弾性撓みに寄与するので、挿入筒３８４ｂ、３８５ｂの弾性回復可能な移動範囲が大きくなり好ましい。
【０１６４】
図８９に、図８８に示す装着用筒３８２ｂのようなコイルバネから成る装着用筒３８２ｐを円筒８に装着する他の態様の一例を示す。図８９の断面図においては、装着用筒３８２ｐの上端部にスラストベアリング４２０が内嵌されている。装着用筒３８２ｐは、スラストベアリング４２０の下面が円筒８の上縁に当接する状態で、円筒８に外挿される。これにより、装着用筒３８２ｐが円筒８に対して軸心を同じくして回転可能となる。
【０１６５】
図９０に、図８８に示す装着用筒３８２ｂのようなコイルバネから成る装着用筒３８２ｐを円筒８に装着する更に他の態様の一例を示す。図９０の断面図においては、装着用筒３８２ｐの上端部の架橋部３９６と円筒８の上縁とが当接する部分４２２で、架橋部３９６を構成する線材が上方に凸のＵ字形に曲げられている。この部分４２２のＵ字形の変形により形成される間隙４２４に、円筒８の上縁部の管壁を食い込ませ硬く嵌合することにより、装着用筒３８２ｐの円筒８に対する回転をロックすることが出来る。
【０１６６】
図９１のポール支持体アタッチメント３８０ｃは、挿入筒３８４ｃ、３８５ｃが通常の筒体から成る場合である。中央のコイル部４０３が、ポール支持体の円筒に外挿される装着用筒３８２ｂとなり、中央のコイル部４０３から延出された架橋部（アーム）３９６は、コイル部４０３の各端とそれぞれ連接する弾性線材から成り、先端部で挿入筒３８４ｃ、３８５ｃの外壁とそれぞれ接合されている。図９１（ａ）は正面図、図９１（ｂ）は平面図である。この態様も、コイル部４０３の変形が架橋部３９６の弾性撓みに寄与するので、挿入筒３８４ｃ、３８５ｃの弾性回復可能な移動範囲が大きくなり好ましい。
【０１６７】
図９２の正面図において、本発明の更に他の態様のポール支持体アタッチメント３８０ｄは、ポールを挿入する挿入筒３８４ｄ、３８５ｄ及びアーム部（アーム）３９６ｄ、３９７ｄが通常の筒体から成る。又、ポール支持体の円筒に外挿される装着用筒３８２ｄは、一対の筒部４１０がコイル部４１２を間に縦に結合した複合筒から成る。架橋部３９６ｄは挿入筒３８４ｄの上端部から延出され、アーム部３９７ｄは挿入筒３８５ｄの下端部から延出されている。コイル部４１２が弾性線材から成るので、図９２の平面図である図９３に示すように、挿入筒３８４ｄ、３８５ｄは互いを近づける矢印の方向に可逆的弾性的に広範囲に移動が可能である。
【０１６８】
図９４の要部斜視模式図において、本発明の又更に他の態様のポール支持体アタッチメント３８０ｅは、挿入筒３８４ｅ、３８４ｅが通常の筒体から成る。又、ポール支持体の円筒に外挿される装着用筒３８２ｅは、１枚の弾性板を筒状に曲げ、輪切り断面をコの字形とした筒状体から成る。架橋部３９６ｅ、３９６ｅは装着用筒３８２ｅからそれぞれ左右に延出され、それぞれ端部で挿入筒３８４ｅ、３８５ｅに結合している。架橋部３９６ｅ、３９６ｅも弾性板から成り、装着用筒３８２ｅを形成する弾性板と一体に連接している。装着用筒３８２ｅ及び架橋部３９６ｅ、３９６ｅが弾性板から成るので、挿入筒３８４ｅ、３８４ｅは互いを近づける方向に可逆的弾性的に広範囲に移動が可能である。
【０１６９】
本発明のポール支持体アタッチメントは、上述のように、コイルや板バネの作用で一対の挿入筒同士が互いに離れる方向に付勢される構成とすることが出来るが、一対の架橋部の互いに成す初期（外力がかからない状態）の角度を鋭角にすることにより、互いに近づく方向に付勢される構成とすることが出来る。この態様でも使用できる。
【０１７０】
本発明のポール支持体アタッチメントは、ポール支持体に装着して用いるだけでなく、他の被装着物に取付けてポールや看板の脚等を立設する支持具として使用可能である。この態様の一例を説明する。図９５（ａ）の側面図、図９５（ｂ）の平面図において、図９２に示すポール支持体アタッチメント３８０ｄが、ガードレール４４１を支持する支柱４３０に取付け具４３２を介して取付けられている。取付け具４３２は、輪切り断面が円弧状の当て板４３４と、貫通孔４３６を備えるスペーサ４３８と、取付けボルト４４０と、ナット４４２とから成る。当て板４３４の長手方向及び幅方向にみた中央に、ボルト孔４４４が形成されている。又、当て板４３４の円弧の外側の所定の位置に、ポール支持体アタッチメント３８０ｄの挿入筒３８５ｄが、互いの長手方向を平行にして溶接等により接合されている。
【０１７１】
取付けボルト４４０に、根元からガードレール４４１、スペーサ４３８、支柱４３０、当て板４３４それぞれに形成されている孔を挿通させて、これらをその順に配してナット４４２を用いて締結する。これにより、挿入筒３８５ｄが地面に対して垂直に支柱４３０に固定される。従って、挿入筒３８５ｄに連なる挿入筒３８４ｄ（図９３に不図示）も地面に対して垂直に支柱４３０にアーム部３９７ｄ、装着用筒３８２ｄ、架橋部３９６ｄを介して固定される。挿入筒３８５ｄ、３８５ｄにポールあるいは看板の脚を挿入して装着出来る。挿入筒３８５ｄと挿入筒３８４ｄとの間隔が可変である機能は、本態様においても維持される。
【０１７２】
図９６に、図９２に示すポール支持体アタッチメント３８０ｄを、ガードレール４４１を支持する支柱４３０に取付ける他の態様の一例を示す。図９６（ａ）の側面図、図９６（ｂ）の平面図において、図９２に示すポール支持体アタッチメント３８０ｄが、ガードレール４４１を支持する支柱４３０に取付け具４３２ａを介して取付けられている。取付け具４３２ａは、挟持板部材４３５、４３５の一対と締結ボルト４５０、ナット４５２により構成される。挟持板部材４３５は、中央にボルト孔が形成された板部４５２と、板部４５２の一端に連接の弧状小板部４５４と、板部４５２の他端に連接の弧状大板部４５６とで形成されている。弧状小板部４５４の一対で挿入筒３８５ｄを挟持し、弧状大板部４５６の一対で支柱４３０を挟持するように挟持板部材４３５、４３５の一対が配される。締結ボルト４５０が板部４５２、４５２のボルト孔を挿通し両者に差し渡されて、ナット４５１を用いて挟持板部材４３５、４３５同士が締結される。符合４６０はガードレール４４１を支柱４３０に支持し固定する固定具（ボルト、ナット、スペーサ）である。なお、図９６（ｂ）の平面図においては、ガードレール４４１及び固定具４６０は不図示である。
【０１７３】
図９５、８５に示す態様のようにして、ポール支持体アタッチメント３８０ｄを、ガードレール４４１以外の被装着体に取付け具３６１、３６１ａのような取付け具を介して取付けることが出来る。
【０１７４】
更に、被装着体とポールとの間に介在してポールを被装着体に装着する他の態様である本発明のポール装着具を説明する。
【０１７５】
図９７において、本発明のポール装着具４７０は帯状の板バネから成り、装着されるポール６の周面の少なくとも一部を囲う囲い面を有しポール６が挿入されて保持される囲い部４７２と、囲い部４７２から左右にそれぞれ延出する腕部４７４の一対と、腕部４７４の各先端に設けられ、被装着体であるフェンスネット４７６と係合する係合部４７８とを備える。腕部４７４は弾性部材から成り撓んだ状態であり、係合部４７８、４７８が互いに離れる方向に付勢されている。
【０１７６】
係合部４７８は板バネの両端部それぞれが曲げられて形成され、板バネの長手方向と平行な断面の形状が円弧状である。又、係合部４７８の上縁部に切欠き４８０が、下縁部に切欠き４８２が形成され、切欠き４８０、４８２により作られた各間隙にフェンスネット４７６を構成する線材４８４が嵌め込まれ係合する。線材４８４が交差する交差部４８７から斜め上方に延出する斜め上方延出線材４８８が切欠き４８０に嵌め込まれ、交差部４８７から斜め下方に延出する斜め下方延出線材４８９が切欠き４８２に嵌め込まれる。各交差部４８７は各係合部４７８の円弧の内側の位置に配される。
【０１７７】
囲い部４７２は、板バネの長手方向中央部が曲げられて形成され、板バネの長手方向と平行な断面の形状が円弧状である。
【０１７８】
図９８にポール装着具４７０の、被装着体に係合していない状態の平面図を示す。腕部４７４、４７４の成す角度αは、９０〜２００度が好ましい。１４０〜１５０度が被装着体に安定して係合するうえで最も好ましい。
【０１７９】
ポール装着具４７０は、図９９に示すように、一対の柱状物４９０の間に架け渡して、囲い部４７２にポール６を挿入して装着することが出来る。各柱状物４９０には、係合部４７８が係合する。係合部４７８は、柱状物４９０の周面の少なくとも一部を囲う囲い面を有する。
【０１８０】
図１００に示すように、ポール装着具４７０は上下一対が被装着体５００に係合され、その上下一対のポール装着具４７０により、１本のポール６が上部と下部で把持される態様が、ポールを安定に支持するうえで好ましい。
【０１８１】
図１０１（ａ）〜（ｅ）に係合部４７８の断面の形状の一例を示す。係合部４７８の断面の形状は、コの字形であってもよい。くの字形であってもよい。中央部５０２が円弧状の突起状を成すように、係合部４７８が曲げられていてもよい。中央部５０２には、被装着体を構成する線材がはまりこむこととなる。
【０１８２】
図１０２に、本発明の他の態様の一例としてポール装着具４７０ａを示す。ポール装着具４７０ａは１本の弾性線材が曲げられて形成されたコイル状バネ体から成り、ポールを挿入して保持するコイル筒部４７２ａと、コイル筒部４７２ａから左右にそれぞれ延出する腕部４７４ａの一対と、腕部４７４ａの各先端に設けられ、被装着体と係合する係合部４７８ａとを備える。係合部４７８ａは、側面視（コイル筒部４７２ａの軸心方向からみて）図１０１（ａ）〜（ｅ）に示す形状を成す。又、正面視（コイル筒部４７２ａの軸心方向と直交の方向からみて）上段部５０４と下段部５０６を有し、各段部を構成する線材が、図１０１（ａ）〜（ｅ）に示す形状を成す。上段部５０４と下段部５０６とは、ポール装着具４７０ａを構成する線材の一部から成る長手方向を上下方向とする結合用棒部５０８を介して結合されている。この態様は、コイル筒部４７２ａの変形も腕部４７４ａの弾性撓みに寄与するので、係合部４７８ａの弾性回復可能な移動範囲が大きくなり好ましい。
【０１８３】
図１０３に、本発明の更に他の態様の一例としてポール装着具４７０ｐを示す。ポール装着具４７０ｐは，ポールを挿入して保持するコイル筒部４７２ａと、コイル筒部４７２ａから左右にそれぞれ延出する腕部４７４ａの一対と、腕部４７４ａの各先端に設けられ、被装着体と係合する係合部４７８とを備える。係合部４７８は板バネが曲げられて形成され、腕部４７４ａの長手方向と平行な断面の形状が円弧状である。又、係合部４７８の上縁部に切欠き４８０が、下縁部に切欠き４８２が形成され、切欠き４８０、４８２により作られた各間隙にフェンスネットを構成する線材が嵌め込まれ係合する。係合部４７８の断面の形状は図１０１（ａ）〜（ｅ）に示されるようなものであってもよい。
【０１８４】
本発明のポール装着具は、上述のように、コイルや板バネの作用で一対の係合部同士が互いに離れる方向に付勢される構成とされているが、一対の腕部の互いに成す初期（外力がかからない状態）の角度を鋭角にすることにより、互いに近づく方向に付勢される構成とすることが出来る。この態様でも使用できる。
【０１８５】
図１０４の要部斜視模式図に、被装着体が電柱のような太径の柱体である場合の本発明のポール装着具４７０ｂを示す。ポール装着具４７０ｂは、１本の弾性線材が曲げられて形成されたコイル状バネ体から成り、ポールを挿入するためのコイル状筒部５１０と、被装着体を左右から抱きかかえるための弧状の抱え部５１２とから成る。
【０１８６】
図１０５は、円柱５１５にポール装着具４７０ｂが抱きかかえられて係合された状態を示す平面模式図である。図１０６に、その側面図を示す。一対のポール装着具４７０ｂを円柱５１５に上下に配してポール６を装着する。
【０１８７】
円柱が更に太径の場合、図１０７に示すように、ポール装着具４７０ｃが両端それぞれにフック部５１４を有してもよい。フック部５１４はポール装着具４７０ｃを構成する線材の端部をフック状に曲げて形成される。フック部５１４、５１４に図１０８に示す帯体５１６を架け渡し、抱え部５１２、５１２と、帯体５１６とで円柱５１５ａの周を一巡させて円柱５１５ａをかかえる。帯体５１６には、長手方向に配列した複数の孔５１８が形成され、フック部５１４に孔５１８を選択的に係合させて円柱５１５ａをかかえる。
【０１８８】
図１０９は、本発明の更に他の装着具の態様である。図１０９において、板状物装着具４７０ｄは、柱係合用コイル部材５２０と、板挟持用コイル部材５２２とが結合されて成る。柱係合用コイル部材５２０は、１本の弾性線材が曲げられて形成されたコイル状バネ体から成り、コイル筒部５１０ｄと、被装着体を左右から抱きかかえるための弧状の抱え部５１２ｄとから成る。又、弧状の抱え部５１２ｄの先端それぞれにフック部５１４を有する。フック部５１４は柱係合用コイル部材５２０を構成する線材の端部をフック状に曲げて形成される。フック部５１４、５１４に図１０８に示す帯体５１６を架け渡し、抱え部５１２ｄ、５１２ｄと、帯体５１６とで図１０７に示す態様で円柱５１５ａの周を一巡させて円柱５１５ａをかかえる。
【０１８９】
板挟持用コイル部材５２２は、１本の弾性線材が曲げられて形成されたコイル状バネ体から成り、コイル筒部５１１ｄ（中間部材５０９）と、看板等の板状の被装着物を左右から抱きかかえて挟持するための一対の挟持アーム部５１３ｄとから成る。挟持アーム部５１３ｄ、５１３ｄは線状部材から成り、互いに１０〜１２０度の角度をなしてコイル筒部５１１ｄから左右に延出されている。挟持アーム部５１３ｄの先端それぞれにフック部５１４ａを有する。フック部５１４ａは板挟持用コイル部材５２２を構成する線材の端部をフック状に曲げて形成される。
【０１９０】
柱係合用コイル部材５２０と、柱係合用コイル部材５２０とはコイル筒部５１０ｄ及びコイル筒部５１１ｄを介して連結されている。コイル筒部５１０ｄとコイル筒部５１１ｄとは軸心を同じくして上下に配置され、接合部５３２が溶接等により接合されている。図１１０（ａ）の平面模式図、図１１０（ｂ）の正面模式図に柱係合用コイル部材５２０と、柱係合用コイル部材５２２とが連結した状態を示す。
【０１９１】
板状物装着具４７０ｄにおいては、柱係合用コイル部材５２０が、被装着体である柱状物に係合する係合手段５２１となっている。
【０１９２】
図１１１に示すように、コイル筒部５１０ｄとコイル筒部５１１ｄとを連結筒５３４に外嵌して、柱係合用コイル部材５２０と、柱係合用コイル部材５２０とが連結筒５３４を介して結合されてもよい。
【０１９３】
挟持アーム部５１３ｄを撓ませてフック部５１４ａ、５１４ａを互いに離れる方向に移動させ、挟持アーム部５１３ｄ、５１３ｄの先端で、図１１２の平面模式図に示す態様で、看板等の板状の被装着物５３０を左右から内側に付勢しつつ挟持してフック部５１４ａ、５１４ａ（縁係合部５１７，５１７）を被装着物５３０の左右の縁にそれぞれ係合させ、柱係合用コイル部材５２０により柱状の被装着体５１４ａに装着する。この態様は、異なった幅の看板等の板状被装着物を装着できる。フック部５１４ａ、５１４ａとしては、板部材をくの字に曲げたものが用いられてもよい。
【０１９４】
本発明の更に異なる態様においては、図１０２に示すポール装着具４７０ａと、図１０９の板状物装着具４７０ｄの構成要素である板挟持用コイル部材５２２とが結合されて成る。この態様の板状物装着具４７０ｅの平面模式図、正面模式図をそれぞれ図１１３（ａ）、１０１（ｂ）に示す。ポール装着具４７０ａと、板挟持用コイル部材５２２とはコイル筒部４７２ａ及びコイル筒部５１１ｄを介して連結されている。コイル筒部４７２ａとコイル筒部５１１ｄとは軸心を同じくして上下に配置され、接合部５３２が溶接等により接合されている。図１１３（ａ）の平面模式図、図１１０（ｂ）の正面模式図にポール装着具４７０ａと、柱係合用コイル部材５２２とが連結した状態を示す。板状物装着具４７０ｅは、看板等の板状被装着物をフェンス等の網状部材から成る被装着体や平行に並んだ棒状の被装着体に装着するために用いられる。板状物装着具４７０ｅにおいては、ポール装着具４７０ａが、被装着体に係合する係合手段５２１ａとなっている。
【０１９５】
本発明の板状物装着具においては、被装着体に係合する係合手段として、図９７〜図１０４に示すポール装着具が適用される。係合手段としては、その他の被装着体に係合する係合構造、機構や係合具も適用できる。
【０１９６】
図１１４に示すように、コイル筒部４７２ａとコイル筒部５１１ｄとを連結筒５３４に外嵌して、装着具４７０ａと、柱係合用コイル部材５２２とが連結筒５３４を介して結合されてもよい。
【０１９７】
以上本発明のポール支持体、ポール装着具及び板状物装着具の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【０１９８】
例えば、円筒８、円筒８ａ、円筒８ｂ、円筒８ｃのかわりに非円筒状の筒体が用いられてもよい。装着用筒３８２、装着用筒３８２ｂ、装着用筒３８２ｄ、装着用筒３８２ｐや、挿入筒３８４、挿入筒３８４ｂ、挿入筒３８４ｃ、挿入筒３８４ｄ、挿入筒３８５ｄは非円筒状の筒体であってもよい。
【０１９９】
【発明の効果】
本発明のポール支持体及びポール装着具を用いて、収納時に嵩張らず、かつ安定した状態で旗棹や看板の脚を地上に立設出来る。又、立設の操作が容易である。
【０２００】
本発明のポール支持体及びポール装着具は、収納時に嵩張らず、かつ安定した状態で旗棹や看板の脚を被装着体に装着出来る。又、被装着体への取付け操作が容易である。
【０２０１】
本発明の板状物装着具は、構造が単純で収納時に嵩張らず、かつ安定した状態で看板等の板状被装着物を被装着体に装着出来る。又、被装着体への取付け操作が容易である。
【図面の簡単な説明】
【図１】図１（ａ）は本発明のポール支持体の態様の一例を示す正面図、図１（ｂ）は平面図である。図１（ｃ）は、ポール支持体の不使用時に取付け支持アームを枠体の内側内部空間に収めた態様を示す平面図、図１（ｄ）は本発明のポール支持体の他の態様の一例を示す正面図、図１（ｅ）は、ポール支持体の不使用時に取付け支持アームを枠体の側部に収めた態様を示す平面図である。
【図２】本発明のポール支持体の他の態様の一例を示す。図２（ａ）はポールが装着された状態の正面図を、図２（ｂ）は不使用時に取付け支持アーム、円筒８ａ及び円筒状物が枠体に収められた状態の平面図を示す。
【図３】本発明のポール支持体の更に他の態様を示す要部斜視模式図である。
【図４】図３に示すポール支持体の円筒が倒されて枠体の内側に収められた状態を示す平面図である。
【図５】図３に示すポール支持体の円筒が取付け支持アームに固定された状態を示す側面図である。
【図６】取付け支持アームを嵌め込む囲い部の他の態様を示す要部斜視模式図である。
【図７】取付け支持アームを嵌め込む囲い部の更に他の態様を示す要部斜視模式図である。
【図８】本発明のポール支持体の又更に他の態様を示す平面図である。
【図９】図９に図６とは異なる態様の本発明のポール支持体を示す。図９（ａ）は円筒が倒された状態の平面図、図９（ｂ）は円筒８が立てられた状態、図９（ｃ）は、図９（ａ）の正面図、図９（ｄ）は、図９（ｂ）の正面図である。
【図１０】図９とは別の態様でケース部を備えるポール支持体を説明するための図であり、図１０（ａ）は枠体１０の構成を示す平面図、図１０（ｂ）は図１０（ａ）のＡ−Ａ´方向の断面図、図１０（ｃ）は図１０（ａ）のＢ−Ｂ´方向の断面図である。
【図１１】図１０に示す枠体に組み合わされる、係合部材を備える円筒の構成の一例を示し、図１１（ａ）は正面図、図１１（ｂ）は平面図である。
【図１２】図１０に示す枠体に組み合わされる、係合部材を備える円筒の他の構成を示し、図１１（ａ）は正面図、図１１（ｂ）は平面図である。
【図１３】図１０で示す枠体の内側に、係合部材を備える円筒が、倒されて収められた状態を示す要部斜視模式図である。
【図１４】図１０で示す枠体の内側に、係合部材を備える円筒が、立てられた状態で装着された状態を示す要部斜視模式図である。
【図１５】図６とは更に異なる態様の本発明のポール支持体を示す平面図である。
【図１６】図１５に示す本発明のポール支持体の要部斜視模式図である。
【図１７】図６示す態様とは又更に異なる態様の本発明のポール支持体を示す要部斜視模式図である。
【図１８】本発明のポール支持体の構成要素である枠体の他の態様の一例を示す平面図である。
【図１９】本発明のポール支持体の構成要素である枠体の更に他の態様の一例を示す要部斜視模式図である。
【図２０】本発明のポール支持体の更に又他の態様の一例を示し、枠体の底に網状部材から成る底部が設けられ、底部と枠体とで構成される容器のなかにぐり石を入れた状態を示す。図２０（ａ）は正面図、図２０（ｂ）は平面図である。
【図２１】本発明のポール支持体の別の態様の一例を示す平面図である。
【図２２】本発明のポール支持体の構成要素である枠体の又更に他の態様の一例を示す平面図である。
【図２３】図２２に示す枠体のＡ−Ａ´方向の断面図を示す。
【図２４】図２４（ａ）は、図２３に示す枠体が用いられた本発明のポール支持体の、円筒を立てた状態を示す断面図である。図２４（ｂ）は、その枠体が裏返して用いられ、円筒を立てた状態を示す断面図である。
【図２５】四角板状のコンクリートのブロックから成る枠体を備える、本発明のポール支持体の他の態様の一例を示すための説明図であり、図２５（ａ）は枠体の平面図、図２５（ｂ）は正面図である。
【図２６】図２５に示すコンクリートのブロックから成る枠体の角溝に、係合部材を備える円筒を倒された状態で収納する状態を示す要部斜視模式図である。
【図２７】図２５に示すコンクリートのブロックから成る枠体の角溝に、係合部材を備える円筒が立てた状態で装着された状態を示す断面図である。
【図２８】本発明の又別の他の態様のポール支持体を示し、図２８（ａ）は平面図、図２８（ｂ）は正面図である。
【図２９】図２８に示すポール支持体の構成要素である筒ブロック体を図２８のＡ方向にみた正面図である。
【図３０】本発明の更に又別の他の態様のポール支持体を示す平面図である。
【図３１】図３０に示すポール支持体の構成要素である受け部材の態様を示す要部斜視模式図である。
【図３２】図３０に示すポール支持体の構成要素である支持アーム部の正面図（図３２（ａ））及び側面図（図３２（ｂ））であり、支持アーム部の他の態様の正面図（図３２（ｃ））及び側面図（図３２（ｄ））であり、図３０に示すポール支持体の構成要素である筒ブロック体の他の態様の正面図（図３２（ｅ））及び側面図（図３２（ｆ））である。
【図３３】図３０に示すポール支持体の構成要素である支持アーム部の長手方向端部の要部斜視模式図である。
【図３４】図３０に示すポール支持体の構成要素である受け部材の他の態様を示す要部斜視模式図である。
【図３５】図３０とは異なる態様の本発明のポール支持体を示す平面図（図３５（ａ））及び正面図（図３５（ｂ））である。
【図３６】図３０とは異なる態様の本発明のポール支持体の他の一例を示す平面図である。
【図３７】図３０とは更に異なる態様の本発明のポール支持体の他の一例を示す平面図（図３７（ａ））及び正面図（図３７（ｂ））である。
【図３８】図３０とは又更に異なる態様の本発明のポール支持体の他の一例を示す平面図である。
【図３９】アーム回動一時固定手段の具体的構成の一例を示す。断面図（図３９（ａ））及びそのＡ−Ａ´方向の断面図（図３９（ｂ））である。
【図４０】円筒回動一時固定手段の具体的構成の一例を示す。断面図（図４０（ａ））及びそのＡ−Ａ´方向の断面図（図４０（ｂ））である。
【図４１】アーム回動一時固定手段の更に他の態様の一例を示す平面図である。
【図４２】図４１に示すアーム回動一時固定手段において、筒部及び支持アーム部が中空孔部に収められた状態を示す平面図である。
【図４３】図４１に示すアーム回動一時固定手段のＡ方向の正面図である。
【図４４】アーム回動一時固定手段の又更に他の態様の一例を示す平面図である。
【図４５】本発明のポール支持体の図４４とは異なる態様の一例を示す平面図である。
【図４６】本発明のポール支持体の図４４とは更に異なる態様の一例を示す平面図である。
【図４７】本発明のポール支持体の図４６とは更に異なる態様の一例を示す平面図である。
【図４８】本発明のポール支持体の図４７とは異なる態様の一例を示す平面図である。
【図４９】本発明のポール支持体の図４８とは異なる態様の一例を示す平面図である。
【図５０】本発明のポール支持体の構成要素である取付け支持アームの一端部の態様の一例を示す平面図である。
【図５１】図５０とは異なる態様の付け支持アームの一端部を示す平面図である。
【図５２】本発明のポール支持体の構成要素であるアーム回動一時固定手段の他の態様を示す要部斜視模式図である。
【図５３】図５３（ａ）は本発明のポール支持体の構成要素であるアーム回動一時固定手段の他の態様を示す要部斜視模式図であり、図５３（ｂ）は分解図である。
【図５４】本発明のポール支持体の態様の他の一例を示す平面図である。
【図５５】図５４に示すポール支持体の正面図である。
【図５６】図５４に示すポール支持体の構成要素である連結部材２３２の形状を示す要部斜視図である。
【図５７】図５４に示す態様とは異なる態様の本発明のポール支持体の一例を示す平面図（図５７（ａ）、円筒が立った状態の正面図（図５７（ｂ）である。
【図５８】図５４に示す態様とは更に異なる態様の本発明のポール支持体の一例を示す平面図である。
【図５９】図５８に示す態様とは異なる態様の本発明のポール支持体の一例を示す平面図（図５９（ａ）、円筒が立った状態の正面図（図５９（ｂ））である。
【図６０】図５９に示す態様とは異なる態様の本発明のポール支持体の一例を示す平面図（図６０（ａ）、円筒が立った状態の正面図（図６０（ｂ））である。
【図６１】図６０に示す態様とは異なる態様の本発明のポール支持体の一例を示す平面図（図６１（ａ）、円筒が立った状態の正面図（図６１（ｂ））である。
【図６２】図６１に示す態様とは異なる態様の本発明のポール支持体の一例を示す平面図（図６２（ａ）、円筒が立った状態の正面図（図６２（ｂ））である。
【図６３】図６２に示す態様とは異なる態様の本発明のポール支持体の一例を示す平面図（図６３（ａ））、正面図（図６３（ｂ））、円筒が立った状態の正面図（図６３（ｃ））、円筒が２個備えられた態様の正面図（図６３（ｄ））である。
【図６４】図６３に示す態様とは異なる態様の本発明のポール支持体の一例を示す平面図である。
【図６５】図６３に示す態様とは異なる態様の本発明のポール支持体の一例を示す平面図であり、図６５（ａ）は平面図、図６５（ｂ）は図６５（ａ）のＡ−Ａ´方向の断面図である。
【図６６】図６５に示すポール支持体の構成要素である回動可能連結部の態様を示す要部斜視模式図である。
【図６７】図６５に示すポール支持体の構成要素である付勢部材の態様を示す要部斜視模式図である。
【図６８】図６５に示す態様とは異なる態様の本発明のポール支持体の一例を示す平面図（図６５（ａ）、図６５（ａ）のＡ−Ａ´方向の断面図（図６５（ｂ））である。
【図６９】本発明のポール支持体の構成要素である取付け支持アーム及び円筒状部材（円筒）の別の態様の一例を示す図であり、図６９（ａ）は円筒状部材が立設している状態を示す要部斜視模式図、図６９（ｂ）は円筒状部材が倒された状態を示す要部斜視模式図、図６９（ｃ）は図６９（ｂ）のＡ−Ａ´方向の断面図である。
【図７０】図６５に示す態様とは更に異なる態様の本発明のポール支持体の一例を示す平面図である。
【図７１】図７０に示すポール支持体の係止部の態様を示す要部斜視模式図である。
【図７２】図７０に示す態様とは異なる態様の本発明のポール支持体の一例を示す平面図（図７２（ａ））、正面図（図７２（ｂ））である。
【図７３】図７２に示す態様のポール支持体に用いられるポール支持体固定手段の一例を示す分解構造模式図である。
【図７４】図７０に示す態様とは更に異なる態様の本発明のポール支持体の一例を示す要部斜視模式図であり、図７４（ａ）は円筒が立てられた状態、図７４（ｂ）は円筒が倒された状態である。
【図７５】本発明において、図１９に示される態様の網状部材を、図５４に示される態様のポール支持体に適用した状態を示す正面図である。
【図７６】図７０に示す態様とは異なる態様の本発明のポール支持体の一例を示す平面図（図７２（ａ））、正面図（図７２（ｂ））である。
【図７７】図７６に示すポール支持体を多段に積み重ねた状態を示す平面図である。
【図７８】図７６に示す態様とは異なる態様の本発明のポール支持体の一例を示す平面図（図７８（ａ））、正面図（図７８（ｂ））である。
【図７９】図７８に示す態様とは異なる態様の本発明のポール支持体の一例を示す平面図（図７９（ａ））、正面図（図７９（ｂ））である。
【図８０】積み重ねが可能な本発明のポール支持体の他の態様の一例を示し、図８０（ａ）は平面図、図８０（ｂ）は正面図である。
【図８１】図８０に示すポール支持体が積み重ねられた状態を示し、図８１（ａ）は正面図、図８１（ｂ）は平面図である。
【図８２】本発明のポール支持体の又更に別の態様の一例を示す要部斜視模式図である。
【図８３】図８２に示すポール支持体の分解斜視図である。
【図８４】図８２に示すポール支持体が組み立てられて地面に装着された状態を示す正面模式図である。
【図８５】本発明のポール支持体アタッチメントの態様の一例を示す要部斜視模式図である。
【図８６】本発明のポール支持体アタッチメントの他の態様の一例を示す要部斜視模式図である。
【図８７】本発明のポール支持体アタッチメントの装着用筒がポール支持体の円筒に回転可能に装着された態様の一例を示す断面図である。
【図８８】本発明のポール支持体アタッチメントの更に他の態様の一例を示し、図８８（ａ）は正面図、図８８（ｂ）は平面図である。
【図８９】本発明のポール支持体アタッチメントの装着用筒を円筒に装着する他の態様の一例を示す断面図である。
【図９０】本発明のポール支持体アタッチメントの装着用筒を円筒に装着する更に他の態様の一例を示す断面図である。
【図９１】本発明のポール支持体アタッチメントの又更に他の態様の一例を示し、図９１（ａ）は平面図、図９１（ｂ）は正面図である。
【図９２】本発明のポール支持体アタッチメントの態様の他の一例を示す正面図である。
【図９３】図９２に示すポール支持体アタッチメントの平面図である。
【図９４】本発明のポール支持体アタッチメントの別の態様の一例を示す要部斜視模式図である。
【図９５】本発明のポール支持体アタッチメントの更に別の態様の一例を示し、図９５（ａ）は側面図、図９５（ｂ）は平面図である。
【図９６】図９５とは異なる態様の本発明のポール支持体アタッチメントの態様の一例を示し、図９６（ａ）は側面図、図９６（ｂ）は平面図である。
【図９７】本発明のポール装着具が被装着体であるフェンスネットと係合する態様の一例を示す要部斜視模式図である。
【図９８】図９７に示す本発明のポール装着具の平面図を示す。
【図９９】図９７に示す本発明のポール装着具が柱状物に係合された態様の一例を示す要部斜視模式図である。
【図１００】本発明のポール装着具が被装着体に係合された態様の一例を示す側面図である
【図１０１】図１０１（ａ）〜（ｅ）は本発明のポール装着具の係合部の側面の各種の形状の一例を示す平面図である。
【図１０２】本発明の他の態様のポール装着具の一例を示す要部斜視模式図である。
【図１０３】本発明の他の態様のポール装着具の他の一例を示す要部斜視模式図である。
【図１０４】本発明の更に他の態様のポール装着具の一例を示す要部斜視模式図である。
【図１０５】円柱に本発明のポール装着具が抱きかかえられて係合された状態を示す平面模式図である。
【図１０６】図１０５に示す状態の側面図である。
【図１０７】円柱に本発明のポール装着具が抱きかかえられて係合された状態の他の一例を示す平面模式図である。
【図１０８】フック部に架け渡す帯体の形状を示す平面図である。
【図１０９】本発明の板状物装着具の態様の一例を示す要部斜視模式図である。
【図１１０】図１１０（ａ）は、図１０９に示す板状物装着具図の構成を示す平面模式図、図１１０（ｂ）は正面模式図である。
【図１１１】本発明の板状物装着具の図１１０とは異なる構成を示す正面模式図である。
【図１１２】図１０９に示す板状物装着具により被装着物を柱状の被装着体に装着した状態の一例を示す平面模式図である。
【図１１３】本発明の板状物装着具の他の態様の一例を示し、図１１３（ａ）は平面模式図１１３（ｂ）は正面模式図である。
【図１１４】図１１３に示す板状物装着具図の、図１１３とは異なる構成を示す正面模式図である。
【符号の説明】
２、２ａ、２ｂ、２ｃ、２ｆ、２ｇ、２ｈ、２ｊ、２ｋ、２ｍ、２ｎ、２ｐ、２ｓ、２ｔ、２ｕ、２ｖ、２ｗ、２ｘ、２ｙ、２ｚ、２０２、２０２ａ、２０２ｄ、２０２ｅ、２０２ｆ、２０２ｇ、２０２ｈ、２０２ｉ、２０２ｊ、２０２ｋ、２０２ｍ、２０２ｎ、２０２ｎｎ、２０２ｐ、２０２ｑ、２０２ｒ、２０２ｔ、２０２ｕ、２０２ｗ、２０２ｘ、２０２ｙ、２０２ｚ：ポール支持体
５：下面部
６：ポール
８、８ａ、８ｂ、８ｃ：円筒
１０、１０ｆ、１０ｇ、１０ｈ、１０ｋ、１０ｊ、１０ｒ：枠体
１０ａ、１０ｎ、１０ｐ、１０ｗ、１０ｓ：穴明きブロック（枠体）
１２、１２ａ、１２ｂ、１２ｍ、１２ｎ：着脱可能取付け支持アーム
１２ｘ、２１２、２１２ａ、２１２ｂ、２１２ｃ、２１２ｄ、２１２ｅ、２１２ｎ、２１２ｑ、２１２ｒ、２１２ｓ、２１２ｔ：取付け支持アーム
１６：枠ふち
３０、３０ｄ、３０ｅ、３０ｆ、３０ｈ、３０ｉ：ケース部
９０、９０ｕ、２３０、２３０ｎ、２３０ｑ、２３０ｓ、２３０ｖ：回動可能連結部
９４、９４ｕ、２１３ｓ、２１３ｔ：回動一時固定手段
９２：回動支持アーム
３００：結合部材
３０４：固定環体
３０８，３０９：棒状部材
３１０：環体
３１２：共通の貫通孔
３１６、３１７、３１８、３１９：軸着部
３４０、３４０ｚ、３４１ｚ：支持体
３４４：延出部
３４６：垂下部
３４８、３４９：山形鋼部材
３５４：挿通用孔
３５６：切込み溝
３８０、３８０ａ、３８０ｂ、３８０ｃ、３８０ｄ、３８０ｅ：ポール支持体アタッチメント
３８２、３８２ｂ、３８２ｄ、３８２ｐ：装着用筒
３８４、３８４ｂ、３８４ｃ、３８４ｄ、３８５ｄ：挿入筒
３８６、３８６ａ、３９６、３９６ｄ、３９６ｅ：架橋部
４３２、４３２ａ：取付け具
４７０、４７０ａ、４７０ｂ、４７０ｃ、４７０ｐ：ポール装着具
４７０ｄ、４７０ｅ：板状物装着具
４７２：囲い部
４７４、４７４ａ：腕部
４７８、４７８ａ：係合部
５０９：中間部材
５１４、５１４ａ：フック部
５１３ｄ：挟持アーム部
５１７：縁係合部
５２１、５２１ａ：係合手段
６０１、６０１、６０１、６０１、６１１：連結部
６２０：一時固定手段
６２１、６２１ｓ：着脱自在連結部
６４０：棒状部
【図１】
2004218264.tif 000003
【図２】
2004218264.tif 000004
【図３】
2004218264.tif 000005
【図４】
2004218264.tif 000006
【図５】
2004218264.tif 000007
【図６】
2004218264.tif 000008
【図７】
2004218264.tif 000009
【図８】
2004218264.tif 000010
【図９】
2004218264.tif 000011
【図１０】
2004218264.tif 000012
【図１１】
2004218264.tif 000013
【図１２】
2004218264.tif 000014
【図１３】
2004218264.tif 000015
【図１４】
2004218264.tif 000016
【図１５】
2004218264.tif 000017
【図１６】
2004218264.tif 000018
【図１７】
2004218264.tif 000019
【図１８】
2004218264.tif 000020
【図１９】
2004218264.tif 000021
【図２０】
2004218264.tif 000022
【図２１】
2004218264.tif 000023
【図２２】
2004218264.tif 000024
【図２３】
2004218264.tif 000025
【図２４】
2004218264.tif 000026
【図２５】
2004218264.tif 000027
【図２６】
2004218264.tif 000028
【図２７】
2004218264.tif 000029
【図２８】
2004218264.tif 000030
【図２９】
2004218264.tif 000031
【図３０】
2004218264.tif 000032
【図３１】
2004218264.tif 000033
【図３２】
2004218264.tif 000034
【図３３】
2004218264.tif 000035
【図３４】
2004218264.tif 000036
【図３５】
2004218264.tif 000037
【図３６】
2004218264.tif 000038
【図３７】
2004218264.tif 000039
【図３８】
2004218264.tif 000040
【図３９】
2004218264.tif 000041
【図４０】
2004218264.tif 000042
【図４１】
2004218264.tif 000043
【図４２】
2004218264.tif 000044
【図４３】
2004218264.tif 000045
【図４４】
2004218264.tif 000046
【図４５】
2004218264.tif 000047
【図４６】
2004218264.tif 000048
【図４７】
2004218264.tif 000049
【図４８】
2004218264.tif 000050
【図４９】
2004218264.tif 000051
【図５０】
2004218264.tif 000052
【図５１】
2004218264.tif 000053
【図５２】
2004218264.tif 000054
【図５３】
2004218264.tif 000055
【図５４】
2004218264.tif 000056
【図５５】
2004218264.tif 000057
【図５６】
2004218264.tif 000058
【図５７】
2004218264.tif 000059
【図５８】
2004218264.tif 000060
【図５９】
2004218264.tif 000061
【図６０】
2004218264.tif 000062
【図６１】
2004218264.tif 000063
【図６２】
2004218264.tif 000064
【図６３】
2004218264.tif 000065
【図６４】
2004218264.tif 000066
【図６５】
2004218264.tif 000067
【図６６】
2004218264.tif 000068
【図６７】
2004218264.tif 000069
【図６８】
2004218264.tif 000070
【図６９】
2004218264.tif 000071
【図７０】
2004218264.tif 000072
【図７１】
2004218264.tif 000073
【図７２】
2004218264.tif 000074
【図７３】
2004218264.tif 000075
【図７４】
2004218264.tif 000076
【図７５】
2004218264.tif 000077
【図７６】
2004218264.tif 000078
【図７７】
2004218264.tif 000079
【図７８】
2004218264.tif 000080
【図７９】
2004218264.tif 000081
【図８０】
2004218264.tif 000082
【図８１】
2004218264.tif 000083
【図８２】
2004218264.tif 000084
【図８３】
2004218264.tif 000085
【図８４】
2004218264.tif 000086
【図８５】
2004218264.tif 000087
【図８６】
2004218264.tif 000088
【図８７】
2004218264.tif 000089
【図８８】
2004218264.tif 000090
【図８９】
2004218264.tif 000091
【図９０】
2004218264.tif 000092
【図９１】
2004218264.tif 000093
【図９２】
2004218264.tif 000094
【図９３】
2004218264.tif 000095
【図９４】
2004218264.tif 000096
【図９５】
2004218264.tif 000097
【図９６】
2004218264.tif 000098
【図９７】
2004218264.tif 000099
【図９８】
2004218264.tif 000100
【図９９】
2004218264.tif 000101
【図１００】
2004218264.tif 000102
【図１０１】
2004218264.tif 000103
【図１０２】
2004218264.tif 000104
【図１０３】
2004218264.tif 000105
【図１０４】
2004218264.tif 000106
【図１０５】
2004218264.tif 000107
【図１０６】
2004218264.tif 000108
【図１０７】
2004218264.tif 000109
【図１０８】
2004218264.tif 000110
【図１０９】
2004218264.tif 000111
【図１１０】
2004218264.tif 000112
【図１１１】
2004218264.tif 000113
【図１１２】
2004218264.tif 000114
【図１１３】
2004218264.tif 000115
【図１１４】
2004218264.tif 000116